(57)【要約】【課題】本考案は、夫婦一緒に葬儀等に出席するような場合においても、紳士用、婦人用として必要十分な点数の喪装用具を準備できる喪装用具セットを提供する。【解決手段】本考案に係る喪装用具セット１は、オニキス珠１２、虎眼石珠１３を輪状に連結し、房１４を取り付けて形成した紳士用念珠１１と、オニキス珠２２、虎眼石珠２３を輪状に連結し、房２４を取り付けて形成した婦人用念珠２１と、オニキス珠３２、虎眼石珠３３を用い着脱金具３４を取り付けて形成したネックレス３１と、オニキス珠４２に金具４４を取り付けて形成した一対のカフス４１と、オニキス珠５１に金具５４を取り付けて形成した一対のイヤリング５１と、を具備するものである。【選択図】図１
0003115908.tif 000002
【実用新案登録請求の範囲】
【請求項１】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
を具備することを特徴とする喪装用具セット。
【請求項２】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品セットと、
を具備することを特徴とする葬儀用セット。
【請求項３】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子及び念珠袋を収容する保存用桐箱と、を備えた付属品セットと、
を具備することを特徴とする葬儀用セット。
【請求項４】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の各念珠袋を収容する保存用桐箱と、を備えた付属品セットと、
を具備することを特徴とする葬儀用セット。
【請求項５】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個連結し、房を取り付けて形成した百八念珠と、を備えた喪装用具セットと、
欅材により形成した香合と、
透明袋入りの白壇香と、
透明袋入りの七種香と、
故人追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠を収容する保存用桐箱と、を備えた付属品セットと、
を具備することを特徴とする葬儀用セット。
【請求項６】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個輪状に連結し、房を取り付けて形成した百八念珠と、
白檀珠、黒檀珠を輪状に連結し、房を取り付けて形成した埋葬用念珠と、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠、埋葬用念珠を収容する保存用桐箱と、を備えた付属品セットと、
を具備することを特徴とする葬儀用セット。
【請求項７】
オニキス珠、虎眼石珠を輪状に連結し、房を取り付けて形成した紳士用念珠と、
オニキス珠、虎眼石珠を輪状に連結し、房を取り付けて形成した婦人用念珠と、を備えた喪装用具セットと、
前記紳士用念珠を収納する紳士用の念珠袋と、
前記婦人用念珠を収納する婦人用の念珠袋と、
前記紳士用念珠、婦人用念珠、紳士用の念珠袋、婦人用の念珠袋を収納する保存用桐箱と、を備えた付属品セットと、
を具備することを特徴とする葬儀用セット。
【請求項８】
オニキス珠、虎眼石珠を輪状に連結し、房を取り付けて形成した紳士用念珠からなることを特徴とする喪装用具。
【請求項９】
オニキス珠、虎眼石珠を輪状に連結し、房を取り付けて形成した婦人用念珠からなることを特徴とする喪装用具。
【請求項１０】
オニキス珠、虎眼石珠を用い着脱金具を取り付けて形成したネックレスからなることを特徴とする喪装用具。
【請求項１１】
オニキス珠に金具を取り付けて形成した一対構成のカフスからなることを特徴とする喪装用具。
【請求項１２】
オニキス珠に金具を取り付けて形成した一対構成のイヤリングからなることを特徴とする喪装用具。
【請求項１３】
オニキス珠、虎眼石珠を輪状に連結し、着脱金具を取り付けて形成したブレスレットからなることを特徴とする喪装用具。
【請求項１４】
オニキス珠を用い着脱金具及び引掛金具を備えるタイタックからなることを特徴とする喪装用具。
【請求項１５】
オニキス珠、虎眼石珠を少なくとも百八個輪状に連結し、房を取り付けて形成した百八念珠からなることを特徴とする喪装用具。
【請求項１６】
白檀、黒檀を輪状に連結し、房を取り付けて形成した埋葬用念珠からなることを特徴とする埋葬用具。
【請求項１７】
オニキス珠、虎眼石珠を輪状に連結し、房を取り付けて形成した紳士用念珠と、オニキス珠、虎眼石珠を輪状に連結し、房を取り付けて形成した婦人用念珠とを収納する念珠袋からなることを特徴とする葬儀用付属品。
【請求項１８】
オニキス珠、虎眼石珠を輪状に連結し、房を取り付けて形成した紳士用念珠を収納する紳士用の念珠袋からなることを特徴とする葬儀用付属品。
【請求項１９】
オニキス珠、虎眼石珠を輪状に連結し、房を取り付けて形成した婦人用念珠を収納する婦人用の念珠袋からなることを特徴とする葬儀用付属品。
【請求項２０】
欅材により形成した香を入れる香合からなることを特徴とする葬儀用付属品。
【請求項２１】
透明袋入りの七種香からなることを特徴とする葬儀用付属品。
【請求項２２】
透明袋入りの白壇香からなることを特徴とする葬儀用付属品。
【請求項２３】
故人の追想の詩、葬儀挨拶文等を掲載した葬儀用冊子からなることを特徴とする葬儀用付属品。
【請求項２４】
桐材を用いて喪装用具、埋葬用具、葬儀用付属品類を内部に収容可能に形成した保存用桐箱からなることを特徴とする葬儀用付属品。
【考案の詳細な説明】
【技術分野】
【０００１】
本考案は、喪装用具セット、葬儀用セット、喪装用具、埋葬用具、葬儀用付属品に関するものである。
【背景技術】
【０００２】
従来、故人の通夜、葬儀等における焼香等の儀式に赴く際に、焼香時に使用する念珠類を用意したり、葬儀等に相応しいイヤリング、ネックレス等の喪装用具を箪笥等から探し出して身に着けたり、かなり煩わしい準備が必要となる。
【０００３】
特許文献１には、弔辞用ネクタイ、数珠、喪章、香典袋等をまとめて収納ケースに収納するように構成した弔辞用必需品の組み合わせ収納体が開示されている。
しかし、この組み合わせ収納体の場合、収納ケースに収納する弔辞用必需品の点数が比較的少なく、例えば夫婦一緒に葬儀等に出席するような場合においては弔辞用必需品の点数が必ずしも十分ではない。
【特許文献１】登録実用新案第３００１７８９号公報
【考案の開示】
【考案が解決しようとする課題】
【０００４】
夫婦一緒に葬儀等に出席するような場合においても、直ちに紳士用、婦人用として必要十分な点数の喪装用具を準備でき、更に保存性にも優れた喪装用具セット、葬儀用セットが存在しない点である。
【課題を解決するための手段】
【０００５】
本考案の喪装用具セットは、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を具備することを最も主要な特徴とする。
【考案の効果】
【０００６】
本考案によれば、以下の効果を奏する。
すなわち、請求項１記載の考案によれば、オニキス珠、虎眼石珠を輪状に連結し、房を取り付けて形成した紳士用念珠及び婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングとをセットとしたものであるから、夫婦揃って葬儀、通夜等のような正式な儀式に出席する場合に相応しい喪装用具を速やかに準備し、身に付けることができる。
【０００７】
請求項２記載の考案によれば、請求項１記載の喪装用具セットに、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱とを具備する付属品セットを付加して、葬儀用セットとしたものである。
【０００８】
従って、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、喪装用具セットの他の喪装用具、付属品セットの各付属品を保存用桐箱に収容して保存することができる葬儀用セットを提供することができる。
【０００９】
請求項３記載の考案によれば、請求項１、２記載の考案における喪装用具セットの構成に、オニキス珠、虎眼石珠を連結し、着脱金具を取り付けて形成したブレスレットと、オニキス珠を用い着脱金具及び引掛金具を備えるタイタックと、を付加して喪装用具セットとし、更に請求項２記載の考案における付属品セットを組み合わせて、葬儀用セットとしたものである。
従って、請求項２記載の考案の場合と同様、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、喪装用具セットの他の喪装用具、付属品セットの各付属品を保存用桐箱に収容して保存することができる葬儀用セットを提供することができる。この場合、紳士は紳士用念珠、カフス、ブレスレット、タイタックを身につけ、婦人は婦人用念珠、ネックレス、イヤリングを身につけて葬儀、通夜等のような正式な儀式に出席することができる。
【００１０】
請求項４記載の考案は、請求項３記載の考案と略同様な構成であるが、念珠袋を紳士用の念珠袋と婦人用の念珠袋との２個構成としたことが特徴である。
請求項４記載の考案によれば、紳士用念珠、婦人用念珠を個別の念珠袋に収納した状態で保存でき、また、請求項３記載の考案と同様の作用、効果を発揮させることができる。
【００１１】
請求項５記載の考案は、請求項４記載の考案の構成に加えて、請求項３、４記載の喪装用具セットの構成に、オニキス珠、虎眼石珠を少なくとも百八個連結し、房を取り付けて形成した百八念珠を付加して喪装用具セットとし、更に請求項４記載の付属品セットを組み合わせて、葬儀用セットとしたものである。
請求項５記載の考案によれば、請求項４記載の考案と同様の作用、効果を発揮させることができるとともに、百八念珠をも備えるものであるから、通夜や葬儀の席で百八念珠を使用して祈念することにより一層格調高く故人の冥福を祈ることができる。
【００１２】
請求項６記載の考案は、請求項５記載の考案の構成に加えて、請求項５記載の喪装用具セットの構成に、白檀珠、黒檀珠を輪状に連結し、房を取り付けて形成した埋葬用念珠を付加して喪装用具セットとし、更に請求項５記載の付属品セットを組み合わせて、葬儀用セットとしたものである。
請求項６記載の考案によれば、請求項５記載の考案の場合と同様な作用、効果を発揮させることができるとともに、白檀珠、黒檀珠を輪状に連結し、房を取り付けて形成した埋葬用念珠を故人とともに埋葬することで、一層厳かに故人の冥福を祈ることができる。
加えて、請求項６記載の考案によれば、特に、白檀珠、黒檀珠を輪状に連結し房を取り付けて形成した埋葬用念珠と、紳士用念珠、婦人用念珠とのデザイン、形態を同じような形態とすることにより、埋葬用念珠は、葬儀時において被火葬者（故人）の合掌した両手にかけられたままで火葬し、紳士用念珠、婦人用念珠は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００１３】
請求項７記載の考案は、上述した構成の紳士用念珠、婦人用念珠により喪装用具セットを構成し、紳士用の念珠袋、婦人用の念珠袋及び保存用桐箱により付属品セットを構成して、これらを組み合わせて葬儀用セットとしたものである。
従って、夫婦一緒に葬儀等に出席するような場合において、紳士用、婦人用として必要最小限の喪装用具を準備でき、また、保存性にも優れた葬儀用セットを提供することができる。
【００１４】
請求項８記載の考案によれば、オニキス珠、虎眼石珠を輪状に連結し、房を取り付けて紳士用念珠を形成したものであるから、葬儀、通夜等のような正式な儀式に出席する場合に相応しい紳士の喪装を実現できる喪装用具を提供できる。
【００１５】
請求項９記載の考案によれば、オニキス珠、虎眼石珠を輪状に連結し、房を取り付けて婦人用念珠を形成したものであるから、葬儀、通夜等のような正式な儀式に出席する場合に相応しい婦人の喪装を実現できる喪装用具を提供できる。
【００１６】
請求項１０記載の考案によれば、オニキス珠、虎眼石珠を用い着脱金具を取り付けてネックレスを形成したものであるから、葬儀、通夜等のような正式な儀式に出席する場合に相応しい婦人の首部分の喪装を実現できる喪装用具を提供できる。
【００１７】
請求項１１記載の考案によれば、オニキス珠に金具を取り付けて一対構成のカフスを形成したものであるから、葬儀、通夜等のような正式な儀式に出席する場合に相応しい紳士のワイシャツの袖部分の喪装を実現できる喪装用具を提供できる。
【００１８】
請求項１２記載の考案によれば、オニキス珠に金具を取り付けて一対構成のイヤリングを形成したものであるから、葬儀、通夜等のような正式な儀式に出席する場合に相応しい婦人の耳部分の喪装を実現できる喪装用具を提供できる。
【００１９】
請求項１３記載の考案によれば、オニキス珠、虎眼石珠を輪状に連結し、着脱金具を取り付けてブレスレットを形成したものであるから、葬儀、通夜等のような正式な儀式に出席する場合に相応しい婦人又は紳士の喪装を実現できる喪装用具を提供できる。
【００２０】
請求項１４記載の考案によれば、オニキス珠を用い着脱金具及び引掛金具を備えるタイタックによって、葬儀、通夜等のような正式な儀式に出席する場合に相応しい紳士のネクタイ部分の喪装を実現できる喪装用具を提供できる。
【００２１】
請求項１５記載の考案によれば、オニキス珠、虎眼石珠を少なくとも百八個輪状に連結し、房を取り付けて百八念珠を形成したものであるから、この百八念珠により、一層厳かに故人の冥福を祈ることができる。
【００２２】
請求項１６記載の考案によれば、白檀珠、黒檀珠を輪状に連結し、房を取り付けて埋葬用念珠を形成したものであるから、この埋葬用念珠を故人とともに埋葬することで、故人への想いを込めて一層厳かに故人の冥福を祈ることができる埋葬用具を提供できる。
【００２３】
請求項１７記載の考案によれば、この念珠袋により紳士用念珠及び婦人用念珠を一緒に収納でき、保存性を高めることができる葬儀用付属品を提供できる。
【００２４】
請求項１８記載の考案によれば、この紳士用の念珠袋により、紳士用念珠を収納でき、保存性を高めることができる葬儀用付属品を提供できる。
【００２５】
請求項１９記載の考案によれば、この婦人用の念珠袋により、婦人用念珠を収納でき、保存性を高めることができる葬儀用付属品を提供できる。
【００２６】
請求項２０記載の考案によれば、欅材により香を入れる香合を形成したものであるから、香材を保存性よく収納できる葬儀用付属品を提供できる。
【００２７】
請求項２１記載の考案によれば、この透明袋入りの七種香により、通夜や葬儀に相応しい香材を準備しておくことができる葬儀用付属品を提供できる。
【００２８】
請求項２２記載の考案によれば、この透明袋入りの白壇香により、通夜や葬儀に相応しい香材を準備しておくことができる葬儀用付属品を提供できる。
【００２９】
請求項２３記載の考案によれば、この故人の追想の詩、葬儀挨拶文等を掲載した葬儀用冊子により、葬儀に相応しい追想の詩、挨拶を予め準備しておくことができる葬儀用付属品を提供できる。
【００３０】
請求項２４記載の考案によれば、この保存用桐箱により、喪装用具、埋葬用具、葬儀用付属品を保存性よく収容し、通夜や葬儀の準備を整えておくことができる葬儀用付属品を提供できる。
【考案を実施するための最良の形態】
【００３１】
夫婦一緒に葬儀等に出席するような場合においても、直ちに紳士用、婦人用として必要十分な点数の喪装用具を準備でき、更に保存性にも優れた葬儀用セットを提供するという目的を、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を備えた喪装用具セットと、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品セットと、を具備する構成により達成した。
【実施例】
【００３２】
以下に、本考案の実施例を詳細に説明する。
（実施例１）
図１は、本考案の実施例１に係る喪装用具セット１を示すものである。
【００３３】
本実施例１に係る喪装用具セット１は、オニキス珠１２、虎眼石珠１３を輪状に連結し、房１４を取り付けて形成した紳士用念珠１１と、オニキス珠２２、虎眼石珠２３を輪状に連結し、房２４を取り付けて形成した婦人用念珠２１と、オニキス珠３２、虎眼石珠３３を用い着脱金具３４を取り付けて形成したネックレス３１と、オニキス珠４２に金具４４を取り付けて形成した一対のカフス４１と、オニキス珠５２に金具５４を取り付けて形成した一対のイヤリング５１とを有している。
【００３４】
紳士用念珠１１は、真円加工、黒艶消し加工を施した所要数（例えば十数個乃至数十個）の貫通孔を有する直径１４ｍｍ程度の寸法のオニキス珠１２と、例えば３個の貫通孔を有する直径１０ｍｍ程度の寸法の虎眼石珠１３とを、紐体１５を用い貫通孔を貫いて輪状に連結し、更に、特定の虎眼石珠１３に正絹からなる房１４を取り付けることで構成している。
【００３５】
婦人用念珠２１は、真円加工、黒艶消し加工を施した所要数（例えば十数個乃至数十個）の貫通孔を有する直径１２ｍｍ程度の寸法のオニキス珠２２と、例えば３個の貫通孔を有する直径７ｍｍ程度の寸法の虎眼石珠２３とを、紐体２５を用い貫通孔を貫いて輪状に連結し、更に、特定の虎眼石珠２３に正絹からなる房２４を取り付けることで構成している。
【００３６】
前記ネックレス３１は、所要数（例えば数十個）の貫通孔を有するオニキス珠３２と、数個の虎眼石珠３３とを用い、紐体を用いて輪状に連結するとともに、銀製又は銀メッキ製でオニキス珠３２付の着脱金具３４を取り付け、全長４５ｃｍ程度の長さに形成している。
前記一対のカフス４１は、各々オニキス珠４２にワイシャツの袖への取り付け用の金具４４を取り付けて形成している。
前記一対のイヤリング５１は、各々オニキス珠５２に耳への取り付け用の金具５４を取り付けて形成している。
【００３７】
本実施例１に係る喪装用具セット１によれば、例えば夫婦揃って葬儀、通夜等のような正式な儀式に出席する場合に、紳士は紳士用念珠１１を持ち、一対のカフス４１をワイシャツの袖へ取り付けて、また、婦人は婦人用念珠２１を持ち、ネックレス３１を首に、一対のイヤリング５１を耳に着用して、各々葬儀、通夜等に相応しい喪装とすることができる。
【００３８】
（実施例２）
図２は、本考案の実施例２に係る葬儀用セット６０を示すものであり、この葬儀用セット６０は、実施例１に係る喪装用具セット１と、付属品セット７０とを組み合わせて構成したものである。
【００３９】
前記付属品セット７０は、欅材により形成した有底筒状の本体７１及び蓋体７２からなる香合７３と、透明袋入りの白壇香７４と、透明袋入りの七種香７５と、故人の追想の詩、葬儀挨拶文等を掲載した葬儀用冊子７６と、前記紳士用念珠１１及び婦人用念珠２１を収納する念珠袋７７と、前記紳士用念珠１１、婦人用念珠２１、ネックレス３１、一対のカフス４１、一対のイヤリング５１、香合７３、透明袋入りの白壇香７４、透明袋入りの七種香７５、葬儀用冊子７６及び念珠袋７７を収容する桐材を用いて箱型状に形成した本体及び蓋体からなる保存用桐箱７８とを有している。念珠袋７７は開口部にファスナ７７ａ及びファスナ引具７７ｂを備えている。
【００４０】
前記保存用桐箱７８は、不織布等の包装用、保存用の布材を内装するとともに、封止帯７９により喪装用具セット１、付属品セット７０を内部に収容した状態で蓋体の本体に体する封止を行うように構成している。
【００４１】
本実施例２に係る葬儀用セット６０によれば、夫婦揃って葬儀、通夜等のような正式な儀式に出席するような場合に、紳士は紳士用念珠１１及び一対のカフス４１により、婦人は婦人用念珠２１、ネックレス３１、一対のイヤリング５１により、各々速やかに喪装することができる。
また、本実施例２に係る葬儀用セット６０によれば、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具セット１の他の喪装用具、付属品セット７０の各付属品を保存用桐箱７８に収容して保存することができ、保存性に優れ、通夜や葬儀等への出席のための準備に万全を期することができる。
【００４２】
（実施例３）
図３は、本考案の実施例３に係る葬儀用セット６０Ａを示すものであり、この葬儀用セット６０Ａは、前記喪装用具セット１の構成に、所要数（例えば十数個）の貫通孔を有するオニキス珠８２、虎眼石珠８３を連結し、銀製又は銀メッキ製の着脱金具８４を取り付けて形成したブレスレット８１と、オニキス珠９２を用い銀製又は銀メッキ製の着脱金具９４及び引掛金具９５を備えるタイタック９１とを付加して喪装用具セット１Ａとし、この喪装用具セット１Ａと前記付属品セット７０とを組み合わせて構成したものである。
【００４３】
本実施例３に係る葬儀用セット６０Ａによれば、夫婦揃って葬儀、通夜等のような正式な儀式に出席する場合に、紳士は紳士用念珠１１及び一対のカフス４１、ブレスレット８１、タイタック９１により、また、婦人は婦人用念珠２１、ネックレス３１、一対のイヤリング５１により、各々速やかに喪装することができる。
また、本実施例３に係る葬儀用セット６０Ａによれば、実施例２の場合と同様、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具セット１Ａの他の喪装用具、付属品セット７０の各付属品を保存用桐箱７８に収容して保存することができ、保存性に優れ、通夜や葬儀等への出席のための準備に万全を期することができる。
【００４４】
（実施例４）
図４は、本考案の実施例４に係る葬儀用セット６０Ｂを示すものであり、この葬儀用セット６０Ｂは、実施例３の葬儀用セット６０Ａと略同様な構成であるが、前記付属品セット７０における念珠袋７７に代えて、紳士用念珠１１を収納する紳士用の念珠袋９７、婦人用念珠２１を収納する婦人用の念珠袋９８を個別に備えた付属品セット７０Ａと、前記喪装用具セット１Ａとを組み合わせたものである。前記念珠袋９７、念珠袋９８は、各々開口部にファスナ９７ａ、９８ｂ及びファスナ引具９７ｂ、９８ｂを備えている。
【００４５】
本実施例４の葬儀用セット６０Ｂによっても、実施例３の葬儀用セット６０Ａの場合と同様な作用、効果を発揮させることができ、また、紳士用念珠１１、婦人用念珠２１を個別に収納し保存できる。
【００４６】
（実施例５）
図５は、本考案の実施例５に係る葬儀用セット６０Ｃを示すものであり、この葬儀用セット６０Ｃは、前記喪装用具セット１Ａの構成に、例えば百八個の直径７ｍｍのオニキス珠１０２、数個の直径１４ｍｍの虎眼石珠１０３を紐体を用いて輪状に連結し、正絹の房１０４を２箇所に取り付けて形成した百八念珠１０１を付加して喪装用具セット１Ｂとし、この喪装用具セット１Ｂと前記付属品セット７０Ａとを組み合わせたものである。
【００４７】
本実施例５の葬儀用セット６０Ｃによっても、実施例４の葬儀用セット６０Ｂの場合と同様な作用、効果を発揮させることができ、また、上述した構成の百八念珠１０１をも備えるものであるから、通夜や葬儀の席で百八念珠１０１を使用して祈念することにより、一層格調高く故人の冥福を祈ることができる。
【００４８】
（実施例６）
図６は、本考案の実施例６に係る葬儀用セット６０Ｄを示すものであり、この葬儀用セット６０Ｄは、実施例５の喪装用具セット１Ｂの構成に、白檀珠１１２、黒檀珠１１３を紐体を用いて輪状に連結し、正絹の房１１４を取り付けて形成した埋葬用念珠１１１を付加して喪装用具セット１Ｃとし、この喪装用具セット１Ｃと前記付属品セット７０Ａとを組み合わせたものである。
【００４９】
本実施例６の葬儀用セット６０Ｄによれば、実施例５の葬儀用セット６０Ｃの場合と同様な作用、効果を発揮させることができるとともに、高貴な樹とされる白檀珠１１２、黒檀珠１１３を用いて形成した埋葬用念珠１１１を大切な故人への想いとともに棺に納め埋葬することで、一層厳かに格調高く故人の冥福を祈ることができる。
本実施例の場合、特に、埋葬用念珠１１１と、紳士用念珠１１、婦人用念珠２１とのデザイン、形態を同じような形態とすることにより、埋葬用念珠１１１は、葬儀時において被火葬者（故人）の合掌した両手にかけられたままで火葬し、紳士用念珠１１、婦人用念珠２１は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００５０】
（実施例７）
図７は、本考案の実施例７に係る葬儀用セット６０Ｅを示すものであり、本実施例７の葬儀用セット６０Ｅは、前述した構成の紳士用念珠１１、婦人用念珠２１により喪装用具セット１Ｄを構成し、紳士用の念珠袋９７、婦人用の念珠袋９８及び保存用桐箱７８により付属品セット７０Ｂを構成して、これらを組み合わせて葬儀用セット６０Ｅとしたものである。
【００５１】
本実施例７の葬儀用セット６０Ｅによれば、夫婦一緒に葬儀等に出席するような場合において、紳士用、婦人用として必要最小限の紳士用念珠１１、婦人用念珠２１を速やかに準備でき、また、念珠袋９７、念珠袋９８及び保存用桐箱７８を備えることから、紳士用念珠１１、婦人用念珠２１の保存性にも優れた葬儀用セット６０Ｅを提供することができる。
【００５２】
以上説明した実施例１乃至実施例７において、喪装用具セット、葬儀用具セットを構成する各喪装用具、埋葬用具、各葬儀用付属品は、セット物として販売、購入、保存する場合の他、これらを各々個別に販売、購入、保存するようにすることも勿論可能であり、このようにすれば、一層実用価値を高めることができる。
【産業上の利用可能性】
【００５３】
本考案のネックレス、イヤリング、ブレスレット、タイタックは、葬儀用として用いる他、日常身につける装身具としても利用可能である。
【図面の簡単な説明】
【００５４】
【図１】本考案の実施例１に係る喪装用具セットを示す構成図である。
【図２】本考案の実施例２に係る葬儀用セットを示す構成図である。
【図３】本考案の実施例３に係る葬儀用セットを示す構成図である。
【図４】本考案の実施例４に係る葬儀用セットを示す構成図である。
【図５】本考案の実施例５に係る葬儀用セットを示す構成図である。
【図６】本考案の実施例６に係る葬儀用セットを示す構成図である。
【図７】本考案の実施例７に係る葬儀用セットを示す構成図である。
【符号の説明】
【００５５】
１    喪装用具セット
１Ａ  喪装用具セット
１Ｂ  喪装用具セット
１Ｃ  喪装用具セット
１Ｄ  喪装用具セット
１１    紳士用念珠
１２    オニキス珠
１３    虎眼石珠
１４    房
１５    紐体
２１    婦人用念珠
２２    オニキス珠
２３    虎眼石珠
２４    房
２５    紐体
３１    ネックレス
３２    オニキス珠
３３    虎眼石珠
３４    着脱金具
４１    カフス
４２    オニキス珠
４４    金具
５１    イヤリング
５２    オニキス珠
５４    金具
６０    葬儀用セット
６０Ａ  葬儀用セット
６０Ｂ  葬儀用セット
６０Ｃ  葬儀用セット
６０Ｄ  葬儀用セット
６０Ｅ  葬儀用セット
７０    付属品セット
７０Ａ  付属品セット
７０Ｂ  付属品セット
７１    本体
７２    蓋体
７３    香合
７４    白壇香
７５    七種香
７６    葬儀用冊子
７７    念珠袋
７７ａ  ファスナ
７８    保存用桐箱
７９    封止帯
８１    ブレスレット
８２    オニキス珠
８３    虎眼石珠
８４    着脱金具
９１    タイタック
９２    オニキス珠
９４    着脱金具
９５    引掛金具
９７    念珠袋
９８    念珠袋
１０１    百八念珠
１０２    オニキス珠
１０３    虎眼石珠
１０４    房
１１１    埋葬用念珠
１１２    白檀珠
１１３    黒檀珠
１１４    房
【図１】
0003115908.tif 000003
【図２】
0003115908.tif 000004
【図３】
0003115908.tif 000005
【図４】
0003115908.tif 000006
【図５】
0003115908.tif 000007
【図６】
0003115908.tif 000008
【図７】
0003115908.tif 000009
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
を具備することを特徴とする喪装用具セット形態からなる喪装用具。
【請求項２】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品セットと、
を具備することを特徴とする葬儀用セット形態からなる喪装用具。
【請求項３】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子及び念珠袋を収容する保存用桐箱と、を備えた付属品セットと、
を具備することを特徴とする葬儀用セット形態からなる喪装用具。
【請求項４】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の各念珠袋を収容する保存用桐箱と、を備えた付属品セットと、
を具備することを特徴とする葬儀用セット形態からなる喪装用具。
【請求項５】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個連結し、房を取り付けて形成した百八念珠と、を備えた喪装用具セットと、
欅材により形成した香合と、
透明袋入りの白壇香と、
透明袋入りの七種香と、
故人追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠を収容する保存用桐箱と、を備えた付属品セットと、
を具備することを特徴とする葬儀用セット形態からなる喪装用具。
【請求項６】
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個輪状に連結し、房を取り付けて形成した百八念珠と、
白檀珠、黒檀珠を輪状に連結し、房を取り付けて形成した埋葬用念珠と、を備えた喪装用具セットと、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠、埋葬用念珠を収容する保存用桐箱と、を備えた付属品セットと、
を具備することを特徴とする葬儀用セット形態からなる喪装用具。
【請求項７】
オニキス珠、虎眼石珠を輪状に連結し、房を取り付けて形成した紳士用念珠と、
オニキス珠、虎眼石珠を輪状に連結し、房を取り付けて形成した婦人用念珠と、を備えた喪装用具セットと、
前記紳士用念珠を収納する紳士用の念珠袋と、
前記婦人用念珠を収納する婦人用の念珠袋と、
前記紳士用念珠、婦人用念珠、紳士用の念珠袋、婦人用の念珠袋を収納する保存用桐箱と、を備えた付属品セットと、
を具備することを特徴とする葬儀用セット形態からなる喪装用具。
【請求項８】
オニキス珠、虎眼石珠を輪状に連結し、房を取り付けて形成した紳士用念珠からなることを特徴とする喪装用具。
【請求項９】
オニキス珠、虎眼石珠を輪状に連結し、房を取り付けて形成した婦人用念珠からなることを特徴とする喪装用具。
【請求項１０】
オニキス珠、虎眼石珠を用い着脱金具を取り付けて形成したネックレスからなることを特徴とする喪装用具。
【請求項１１】
オニキス珠に金具を取り付けて形成した一対構成のカフスからなることを特徴とする喪装用具。
【請求項１２】
オニキス珠に金具を取り付けて形成した一対構成のイヤリングからなることを特徴とする喪装用具。
【請求項１３】
オニキス珠、虎眼石珠を輪状に連結し、着脱金具を取り付けて形成したブレスレットからなることを特徴とする喪装用具。
【請求項１４】
オニキス珠を用い着脱金具及び引掛金具を備えるタイタックからなることを特徴とする喪装用具。
【請求項１５】
オニキス珠、虎眼石珠を少なくとも百八個輪状に連結し、房を取り付けて形成した百八念珠からなることを特徴とする喪装用具。
【請求項１６】
白檀、黒檀を輪状に連結し、房を取り付けて形成した埋葬用念珠からなることを特徴とする喪装用具。
【請求項１７】
オニキス珠、虎眼石珠を輪状に連結し、房を取り付けて形成した紳士用念珠と、オニキス珠、虎眼石珠を輪状に連結し、房を取り付けて形成した婦人用念珠とを収納する念珠袋からなることを特徴とする喪装用具。
【請求項１８】
オニキス珠、虎眼石珠を輪状に連結し、房を取り付けて形成した紳士用念珠を収納する紳士用の念珠袋からなることを特徴とする喪装用具。
【請求項１９】
オニキス珠、虎眼石珠を輪状に連結し、房を取り付けて形成した婦人用念珠を収納する婦人用の念珠袋からなることを特徴とする喪装用具。
【請求項２０】
欅材により形成した香を入れる香合からなることを特徴とする喪装用具。
【請求項２１】
透明袋入りの七種香からなることを特徴とする喪装用具。
【請求項２２】
透明袋入りの白壇香からなることを特徴とする喪装用具。
【請求項２３】
故人の追想の詩、葬儀挨拶文等を掲載した葬儀用冊子からなることを特徴とする喪装用具。
【請求項２４】
桐材を用いて喪装用具、埋葬用具、葬儀用付属品類を内部に収容可能に形成した保存用桐箱からなることを特徴とする喪装用具。
【手続補正２】
【補正対象書類名】明細書
【補正対象項目名】全文
【補正方法】変更
【補正の内容】
【考案の詳細な説明】
【技術分野】
【０００１】
本考案は、喪装用具に関し、詳しくは、喪装用具セット、葬儀用セット、埋葬用具、葬儀用付属品等の各形態からなる喪装用具に関するものである。
【背景技術】
【０００２】
従来、故人の通夜、葬儀等における焼香等の儀式に赴く際に、焼香時に使用する念珠類を用意したり、葬儀等に相応しいイヤリング、ネックレス等の喪装用具を箪笥等から探し出して身に着けたり、かなり煩わしい準備が必要となる。
【０００３】
特許文献１には、弔辞用ネクタイ、数珠、喪章、香典袋等をまとめて収納ケースに収納するように構成した弔辞用必需品の組み合わせ収納体が開示されている。
しかし、この組み合わせ収納体の場合、収納ケースに収納する弔辞用必需品の点数が比較的少なく、例えば夫婦一緒に葬儀等に出席するような場合においては弔辞用必需品の点数が必ずしも十分ではない。
【特許文献１】登録実用新案第３００１７８９号公報
【考案の開示】
【考案が解決しようとする課題】
【０００４】
夫婦一緒に葬儀等に出席するような場合においても、直ちに紳士用、婦人用として必要十分な点数の喪装用具を準備でき、更に保存性にも優れた喪装用具セット、葬儀用セット等の形態からなる喪装用具が存在しない点である。
【課題を解決するための手段】
【０００５】
本考案の喪装用具は、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を具備することを最も主要な特徴とする。
【考案の効果】
【０００６】
本考案によれば、以下の効果を奏する。
すなわち、請求項１記載の考案によれば、オニキス珠、虎眼石珠を輪状に連結し、房を取り付けて形成した紳士用念珠及び婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングとをセットとしたものであるから、夫婦揃って葬儀、通夜等のような正式な儀式に出席する場合に相応しい喪装用具を速やかに準備し、身に付けることができる。
【０００７】
請求項２記載の考案によれば、請求項１記載の喪装用具に、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱とを具備する付属品セットを付加して、喪装用具としたものである。
【０００８】
従って、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、喪装用具セットの他の喪装用具、付属品セットの各付属品を保存用桐箱に収容して保存することができる葬儀用セット形態からなる喪装用具を提供することができる。
【０００９】
請求項３記載の考案によれば、請求項１、２記載の考案における喪装用具の構成に、オニキス珠、虎眼石珠を連結し、着脱金具を取り付けて形成したブレスレットと、オニキス珠を用い着脱金具及び引掛金具を備えるタイタックと、を付加して喪装用具セット形態の喪装用具とし、更に請求項２記載の考案における喪装用具を組み合わせて、葬儀用セット形態の喪装用具としたものである。
従って、請求項２記載の考案の場合と同様、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、喪装用具セットの他の喪装用具、付属品セットの各付属品を保存用桐箱に収容して保存することができる喪装用具を提供することができる。この場合、紳士は紳士用念珠、カフス、ブレスレット、タイタックを身につけ、婦人は婦人用念珠、ネックレス、イヤリングを身につけて葬儀、通夜等のような正式な儀式に出席することができる。
【００１０】
請求項４記載の考案は、請求項３記載の考案と略同様な構成であるが、念珠袋を紳士用の念珠袋と婦人用の念珠袋との２個構成としたことが特徴である。
請求項４記載の考案によれば、紳士用念珠、婦人用念珠を個別の念珠袋に収納した状態で保存でき、また、請求項３記載の考案と同様の作用、効果を発揮させることができる。
【００１１】
請求項５記載の考案は、請求項４記載の考案の構成に加えて、請求項３、４記載の喪装用具セット形態の喪装用具構成に、オニキス珠、虎眼石珠を少なくとも百八個連結し、房を取り付けて形成した百八念珠を付加して喪装用具セットとし、更に請求項４記載の付属品セットを組み合わせて、葬儀用セット形態の喪装用具としたものである。
請求項５記載の考案によれば、請求項４記載の考案と同様の作用、効果を発揮させることができるとともに、百八念珠をも備えるものであるから、通夜や葬儀の席で百八念珠を使用して祈念することにより一層格調高く故人の冥福を祈ることができる。
【００１２】
請求項６記載の考案は、請求項５記載の考案の構成に加えて、請求項５記載の喪装用具セット形態の喪装用具構成に、白檀珠、黒檀珠を輪状に連結し、房を取り付けて形成した埋葬用念珠を付加して喪装用具セットとし、更に請求項５記載の付属品セットを組み合わせて、葬儀用セット形態の喪装用具としたものである。
請求項６記載の考案によれば、請求項５記載の考案の場合と同様な作用、効果を発揮させることができるとともに、白檀珠、黒檀珠を輪状に連結し、房を取り付けて形成した埋葬用念珠を故人とともに埋葬することで、一層厳かに故人の冥福を祈ることができる。
加えて、請求項６記載の考案によれば、特に、白檀珠、黒檀珠を輪状に連結し房を取り付けて形成した埋葬用念珠と、紳士用念珠、婦人用念珠とのデザイン、形態を同じような形態とすることにより、埋葬用念珠は、葬儀時において被火葬者（故人）の合掌した両手にかけられたままで火葬し、紳士用念珠、婦人用念珠は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００１３】
請求項７記載の考案は、上述した構成の紳士用念珠、婦人用念珠により喪装用具セット形態の喪装用具を構成し、紳士用の念珠袋、婦人用の念珠袋及び保存用桐箱により付属品セットを構成して、これらを組み合わせて葬儀用セット形態の喪装用具としたものである。
従って、夫婦一緒に葬儀等に出席するような場合において、紳士用、婦人用として必要最小限の喪装用具を準備でき、また、保存性にも優れた葬儀用セット形態の喪装用具を提供することができる。
【００１４】
請求項８記載の考案によれば、オニキス珠、虎眼石珠を輪状に連結し、房を取り付けて紳士用念珠を形成したものであるから、葬儀、通夜等のような正式な儀式に出席する場合に相応しい紳士の喪装を実現できる喪装用具を提供できる。
【００１５】
請求項９記載の考案によれば、オニキス珠、虎眼石珠を輪状に連結し、房を取り付けて婦人用念珠を形成したものであるから、葬儀、通夜等のような正式な儀式に出席する場合に相応しい婦人の喪装を実現できる喪装用具を提供できる。
【００１６】
請求項１０記載の考案によれば、オニキス珠、虎眼石珠を用い着脱金具を取り付けてネックレスを形成したものであるから、葬儀、通夜等のような正式な儀式に出席する場合に相応しい婦人の首部分の喪装を実現できる喪装用具を提供できる。
【００１７】
請求項１１記載の考案によれば、オニキス珠に金具を取り付けて一対構成のカフスを形成したものであるから、葬儀、通夜等のような正式な儀式に出席する場合に相応しい紳士のワイシャツの袖部分の喪装を実現できる喪装用具を提供できる。
【００１８】
請求項１２記載の考案によれば、オニキス珠に金具を取り付けて一対構成のイヤリングを形成したものであるから、葬儀、通夜等のような正式な儀式に出席する場合に相応しい婦人の耳部分の喪装を実現できる喪装用具を提供できる。
【００１９】
請求項１３記載の考案によれば、オニキス珠、虎眼石珠を輪状に連結し、着脱金具を取り付けてブレスレットを形成したものであるから、葬儀、通夜等のような正式な儀式に出席する場合に相応しい婦人又は紳士の喪装を実現できる喪装用具を提供できる。
【００２０】
請求項１４記載の考案によれば、オニキス珠を用い着脱金具及び引掛金具を備えるタイタックによって、葬儀、通夜等のような正式な儀式に出席する場合に相応しい紳士のネクタイ部分の喪装を実現できる喪装用具を提供できる。
【００２１】
請求項１５記載の考案によれば、オニキス珠、虎眼石珠を少なくとも百八個輪状に連結し、房を取り付けて百八念珠を形成したものであるから、この百八念珠により、一層厳かに故人の冥福を祈ることができる。
【００２２】
請求項１６記載の考案によれば、白檀珠、黒檀珠を輪状に連結し、房を取り付けて埋葬用念珠を形成したものであるから、この埋葬用念珠を故人とともに埋葬することで、故人への想いを込めて一層厳かに故人の冥福を祈ることができる喪装用具を提供できる。
【００２３】
請求項１７記載の考案によれば、この念珠袋により紳士用念珠及び婦人用念珠を一緒に収納でき、保存性を高めることができる喪装用具を提供できる。
【００２４】
請求項１８記載の考案によれば、この紳士用の念珠袋により、紳士用念珠を収納でき、保存性を高めることができる喪装用具を提供できる。
【００２５】
請求項１９記載の考案によれば、この婦人用の念珠袋により、婦人用念珠を収納でき、保存性を高めることができる喪装用具を提供できる。
【００２６】
請求項２０記載の考案によれば、欅材により香を入れる香合を形成したものであるから、香材を保存性よく収納できる喪装用具を提供できる。
【００２７】
請求項２１記載の考案によれば、この透明袋入りの七種香により、通夜や葬儀に相応しい香材を準備しておくことができる喪装用具を提供できる。
【００２８】
請求項２２記載の考案によれば、この透明袋入りの白壇香により、通夜や葬儀に相応しい香材を準備しておくことができる喪装用具を提供できる。
【００２９】
請求項２３記載の考案によれば、この故人の追想の詩、葬儀挨拶文等を掲載した葬儀用冊子により、葬儀に相応しい追想の詩、挨拶を予め準備しておくことができる喪装用具を提供できる。
【００３０】
請求項２４記載の考案によれば、この保存用桐箱により、喪装用具、埋葬用具、葬儀用付属品を保存性よく収容し、通夜や葬儀の準備を整えておくことができる喪装用具を提供できる。
【考案を実施するための最良の形態】
【００３１】
夫婦一緒に葬儀等に出席するような場合においても、直ちに紳士用、婦人用として必要十分な点数の喪装用具を準備でき、更に保存性にも優れた葬儀用セット形態の喪装用具を提供するという目的を、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を備えた喪装用具セットと、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品セットと、を具備する構成により達成した。
【実施例】
【００３２】
以下に、本考案の実施例を詳細に説明する。
（実施例１）
図１は、本考案の実施例１に係る喪装用具セット１の形態からなる喪装用具を示すものである。
【００３３】
本実施例１に係る喪装用具セット１は、オニキス珠１２、虎眼石珠１３を輪状に連結し、房１４を取り付けて形成した紳士用念珠１１と、オニキス珠２２、虎眼石珠２３を輪状に連結し、房２４を取り付けて形成した婦人用念珠２１と、オニキス珠３２、虎眼石珠３３を用い着脱金具３４を取り付けて形成したネックレス３１と、オニキス珠４２に金具４４を取り付けて形成した一対のカフス４１と、オニキス珠５２に金具５４を取り付けて形成した一対のイヤリング５１とを有している。
【００３４】
紳士用念珠１１は、真円加工、黒艶消し加工を施した所要数（例えば十数個乃至数十個）の貫通孔を有する直径１４ｍｍ程度の寸法のオニキス珠１２と、例えば３個の貫通孔を有する直径１０ｍｍ程度の寸法の虎眼石珠１３とを、紐体１５を用い貫通孔を貫いて輪状に連結し、更に、特定の虎眼石珠１３に正絹からなる房１４を取り付けることで構成している。
【００３５】
婦人用念珠２１は、真円加工、黒艶消し加工を施した所要数（例えば十数個乃至数十個）の貫通孔を有する直径１２ｍｍ程度の寸法のオニキス珠２２と、例えば３個の貫通孔を有する直径７ｍｍ程度の寸法の虎眼石珠２３とを、紐体２５を用い貫通孔を貫いて輪状に連結し、更に、特定の虎眼石珠２３に正絹からなる房２４を取り付けることで構成している。
【００３６】
前記ネックレス３１は、所要数（例えば数十個）の貫通孔を有するオニキス珠３２と、数個の虎眼石珠３３とを用い、紐体を用いて輪状に連結するとともに、銀製又は銀メッキ製でオニキス珠３２付の着脱金具３４を取り付け、全長４５ｃｍ程度の長さに形成している。
前記一対のカフス４１は、各々オニキス珠４２にワイシャツの袖への取り付け用の金具４４を取り付けて形成している。
前記一対のイヤリング５１は、各々オニキス珠５２に耳への取り付け用の金具５４を取り付けて形成している。
【００３７】
本実施例１に係る喪装用具セット１の形態からなる喪装用具によれば、例えば夫婦揃って葬儀、通夜等のような正式な儀式に出席する場合に、紳士は紳士用念珠１１を持ち、一対のカフス４１をワイシャツの袖へ取り付けて、また、婦人は婦人用念珠２１を持ち、ネックレス３１を首に、一対のイヤリング５１を耳に着用して、各々葬儀、通夜等に相応しい喪装とすることができる。
【００３８】
（実施例２）
図２は、本考案の実施例２に係る葬儀用セット６０の形態からなる喪装用具を示すものであり、この葬儀用セット６０は、実施例１に係る喪装用具セット１と、付属品セット７０とを組み合わせて構成したものである。
【００３９】
前記付属品セット７０は、欅材により形成した有底筒状の本体７１及び蓋体７２からなる香合７３と、透明袋入りの白壇香７４と、透明袋入りの七種香７５と、故人の追想の詩、葬儀挨拶文等を掲載した葬儀用冊子７６と、前記紳士用念珠１１及び婦人用念珠２１を収納する念珠袋７７と、前記紳士用念珠１１、婦人用念珠２１、ネックレス３１、一対のカフス４１、一対のイヤリング５１、香合７３、透明袋入りの白壇香７４、透明袋入りの七種香７５、葬儀用冊子７６及び念珠袋７７を収容する桐材を用いて箱型状に形成した本体及び蓋体からなる保存用桐箱７８とを有している。念珠袋７７は開口部にファスナ７７ａ及びファスナ引具７７ｂを備えている。
【００４０】
前記保存用桐箱７８は、不織布等の包装用、保存用の布材を内装するとともに、封止帯７９により喪装用具セット１、付属品セット７０を内部に収容した状態で蓋体の本体に体する封止を行うように構成している。
【００４１】
本実施例２に係る葬儀用セット６０の形態からなる喪装用具によれば、夫婦揃って葬儀、通夜等のような正式な儀式に出席するような場合に、紳士は紳士用念珠１１及び一対のカフス４１により、婦人は婦人用念珠２１、ネックレス３１、一対のイヤリング５１により、各々速やかに喪装することができる。
また、本実施例２に係る葬儀用セット６０の形態からなる喪装用具によれば、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具セット１の他の喪装用具、付属品セット７０の各付属品を保存用桐箱７８に収容して保存することができ、保存性に優れ、通夜や葬儀等への出席のための準備に万全を期することができる。
【００４２】
（実施例３）
図３は、本考案の実施例３に係る葬儀用セット６０Ａの形態からなる喪装用具を示すものであり、この葬儀用セット６０Ａは、前記喪装用具セット１の構成に、所要数（例えば十数個）の貫通孔を有するオニキス珠８２、虎眼石珠８３を連結し、銀製又は銀メッキ製の着脱金具８４を取り付けて形成したブレスレット８１と、オニキス珠９２を用い銀製又は銀メッキ製の着脱金具９４及び引掛金具９５を備えるタイタック９１とを付加して喪装用具セット１Ａとし、この喪装用具セット１Ａと前記付属品セット７０とを組み合わせて構成したものである。
【００４３】
本実施例３に係る葬儀用セット６０Ａの形態からなる喪装用具によれば、夫婦揃って葬儀、通夜等のような正式な儀式に出席する場合に、紳士は紳士用念珠１１及び一対のカフス４１、ブレスレット８１、タイタック９１により、また、婦人は婦人用念珠２１、ネックレス３１、一対のイヤリング５１により、各々速やかに喪装することができる。
また、本実施例３に係る葬儀用セット６０Ａの形態からなる喪装用具によれば、実施例２の場合と同様、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具セット１Ａの他の喪装用具、付属品セット７０の各付属品を保存用桐箱７８に収容して保存することができ、保存性に優れ、通夜や葬儀等への出席のための準備に万全を期することができる。
【００４４】
（実施例４）
図４は、本考案の実施例４に係る葬儀用セット６０Ｂの形態からなる喪装用具を示すものであり、この葬儀用セット６０Ｂは、実施例３の葬儀用セット６０Ａと略同様な構成であるが、前記付属品セット７０における念珠袋７７に代えて、紳士用念珠１１を収納する紳士用の念珠袋９７、婦人用念珠２１を収納する婦人用の念珠袋９８を個別に備えた付属品セット７０Ａと、前記喪装用具セット１Ａとを組み合わせたものである。前記念珠袋９７、念珠袋９８は、各々開口部にファスナ９７ａ、９８ｂ及びファスナ引具９７ｂ、９８ｂを備えている。
【００４５】
本実施例４の葬儀用セット６０Ｂの形態からなる喪装用具によっても、実施例３の葬儀用セット６０Ａの場合と同様な作用、効果を発揮させることができ、また、紳士用念珠１１、婦人用念珠２１を個別に収納し保存できる。
【００４６】
（実施例５）
図５は、本考案の実施例５に係る葬儀用セット６０Ｃの形態からなる喪装用具を示すものであり、この葬儀用セット６０Ｃは、前記喪装用具セット１Ａの構成に、例えば百八個の直径７ｍｍのオニキス珠１０２、数個の直径１４ｍｍの虎眼石珠１０３を紐体を用いて輪状に連結し、正絹の房１０４を２箇所に取り付けて形成した百八念珠１０１を付加して喪装用具セット１Ｂとし、この喪装用具セット１Ｂと前記付属品セット７０Ａとを組み合わせたものである。
【００４７】
本実施例５の葬儀用セット６０Ｃの形態からなる喪装用具によっても、実施例４の葬儀用セット６０Ｂの形態からなる喪装用具の場合と同様な作用、効果を発揮させることができ、また、上述した構成の百八念珠１０１をも備えるものであるから、通夜や葬儀の席で百八念珠１０１を使用して祈念することにより、一層格調高く故人の冥福を祈ることができる。
【００４８】
（実施例６）
図６は、本考案の実施例６に係る葬儀用セット６０Ｄの形態からなる喪装用具を示すものであり、この葬儀用セット６０Ｄは、実施例５の喪装用具セット１Ｂの構成に、白檀珠１１２、黒檀珠１１３を紐体を用いて輪状に連結し、正絹の房１１４を取り付けて形成した埋葬用念珠１１１を付加して喪装用具セット１Ｃとし、この喪装用具セット１Ｃと前記付属品セット７０Ａとを組み合わせたものである。
【００４９】
本実施例６の葬儀用セット６０Ｄの形態からなる喪装用具によれば、実施例５の葬儀用セット６０Ｃの場合と同様な作用、効果を発揮させることができるとともに、高貴な樹とされる白檀珠１１２、黒檀珠１１３を用いて形成した埋葬用念珠１１１を大切な故人への想いとともに棺に納め埋葬することで、一層厳かに格調高く故人の冥福を祈ることができる。
本実施例の場合、特に、埋葬用念珠１１１と、紳士用念珠１１、婦人用念珠２１とのデザイン、形態を同じような形態とすることにより、埋葬用念珠１１１は、葬儀時において被火葬者（故人）の合掌した両手にかけられたままで火葬し、紳士用念珠１１、婦人用念珠２１は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００５０】
（実施例７）
図７は、本考案の実施例７に係る葬儀用セット６０Ｅの形態からなる喪装用具を示すものであり、本実施例７の葬儀用セット６０Ｅは、前述した構成の紳士用念珠１１、婦人用念珠２１により喪装用具セット１Ｄを構成し、紳士用の念珠袋９７、婦人用の念珠袋９８及び保存用桐箱７８により付属品セット７０Ｂを構成して、これらを組み合わせて葬儀用セット６０Ｅとしたものである。
【００５１】
本実施例７の葬儀用セット６０Ｅの形態からなる喪装用具によれば、夫婦一緒に葬儀等に出席するような場合において、紳士用、婦人用として必要最小限の紳士用念珠１１、婦人用念珠２１を速やかに準備でき、また、念珠袋９７、念珠袋９８及び保存用桐箱７８を備えることから、紳士用念珠１１、婦人用念珠２１の保存性にも優れた葬儀用セット６０Ｅの形態からなる喪装用具を提供することができる。
【００５２】
以上説明した実施例１乃至実施例７における埋葬用具は、これをセット物として販売、購入、保存する場合の他、これらを各々個別に販売、購入、保存するようにすることも勿論可能であり、このようにすれば、一層実用価値を高めることができる。
【産業上の利用可能性】
【００５３】
本考案のネックレス、イヤリング、ブレスレット、タイタックは、埋葬用具として用いる他、日常身につける装身具としても利用可能である。
【図面の簡単な説明】
【００５４】
【図１】本考案の実施例１に係る喪装用具セットの形態からなる喪装用具を示す構成図である。
【図２】本考案の実施例２に係る葬儀用セットの形態からなる喪装用具を示す構成図である。
【図３】本考案の実施例３に係る葬儀用セットの形態からなる喪装用具を示す構成図である。
【図４】本考案の実施例４に係る葬儀用セットの形態からなる喪装用具を示す構成図である。
【図５】本考案の実施例５に係る葬儀用セットの形態からなる喪装用具を示す構成図である。
【図６】本考案の実施例６に係る葬儀用セットの形態からなる喪装用具を示す構成図である。
【図７】本考案の実施例７に係る葬儀用セットの形態からなる喪装用具を示す構成図である。
【符号の説明】
【００５５】
１  喪装用具セット
１Ａ  喪装用具セット
１Ｂ  喪装用具セット
１Ｃ  喪装用具セット
１Ｄ  喪装用具セット
１１  紳士用念珠
１２  オニキス珠
１３  虎眼石珠
１４  房
１５  紐体
２１  婦人用念珠
２２  オニキス珠
２３  虎眼石珠
２４  房
２５  紐体
３１  ネックレス
３２  オニキス珠
３３  虎眼石珠
３４  着脱金具
４１  カフス
４２  オニキス珠
４４  金具
５１  イヤリング
５２  オニキス珠
５４  金具
６０  葬儀用セット
６０Ａ  葬儀用セット
６０Ｂ  葬儀用セット
６０Ｃ  葬儀用セット
６０Ｄ  葬儀用セット
６０Ｅ  葬儀用セット
７０  付属品セット
７０Ａ  付属品セット
７０Ｂ  付属品セット
７１  本体
７２  蓋体
７３  香合
７４  白壇香
７５  七種香
７６  葬儀用冊子
７７  念珠袋
７７ａ  ファスナ
７８  保存用桐箱
７９  封止帯
８１  ブレスレット
８２  オニキス珠
８３  虎眼石珠
８４  着脱金具
９１  タイタック
９２  オニキス珠
９４  着脱金具
９５  引掛金具
９７  念珠袋
９８  念珠袋
１０１  百八念珠
１０２  オニキス珠
１０３  虎眼石珠
１０４  房
１１１  埋葬用念珠
１１２  白檀珠
１１３  黒檀珠
１１４  房
【手続補正書】
【提出日】平成16年10月18日(2004.10.18)
【手続補正１】
【補正対象書類名】実用新案登録請求の範囲
【補正対象項目名】全文
【補正方法】変更
【補正の内容】
【実用新案登録請求の範囲】
【請求項１】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
を具備する葬儀具形態の喪装用具。
【請求項２】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品と、
を具備する葬儀具形態の喪装用具。
【請求項３】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子及び念珠袋を収容する保存用桐箱と、を備えた付属品と、
を具備する葬儀具形態の喪装用具。
【請求項４】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の各念珠袋を収容する保存用桐箱と、を備えた付属品と、
を具備する葬儀具形態の喪装用具。
【請求項５】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個連結し、房を取り付けて形成した百八念珠と、を備えた喪装用具と、
欅材により形成した香合と、
透明袋入りの白壇香と、
透明袋入りの七種香と、
故人追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠を収容する保存用桐箱と、を備えた付属品と、
を具備する葬儀具形態の喪装用具。
【請求項６】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個輪状に連結し、房を取り付けて形成した百八念珠と、
白檀珠、黒檀珠を輪状に連結し、房を取り付けて形成した埋葬用念珠と、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠、埋葬用念珠を収容する保存用桐箱と、を備えた付属品と、
を具備する葬儀具形態の喪装用具。
【請求項７】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、を備えた喪装用具と、
前記紳士用念珠を収納する紳士用の念珠袋と、
前記婦人用念珠を収納する婦人用の念珠袋と、
前記紳士用念珠、婦人用念珠、紳士用の念珠袋、婦人用の念珠袋を収納する保存用桐箱と、を備えた付属品と、
を具備する葬儀具形態の喪装用具。
【請求項８】
喪装用具であって、オニキス珠、虎眼石珠を輪状に連結し、房を取り付けて形成した紳士用念珠からなる念珠形態の喪装用具。
【請求項９】
喪装用具であって、オニキス珠、虎眼石珠を輪状に連結し、房を取り付けて形成した婦人用念珠からなる念珠形態の喪装用具。
【請求項１０】
喪装用具であって、オニキス珠、虎眼石珠を用い着脱金具を取り付けて形成したネックレスからなるネックレス形態の喪装用具。
【請求項１１】
喪装用具であって、オニキス珠に金具を取り付けて形成した一対構成のカフスからなるカフス形態の喪装用具。
【請求項１２】
喪装用具であって、オニキス珠に金具を取り付けて形成した一対構成のイヤリングからなるイヤリング形態の喪装用具。
【請求項１３】
喪装用具であって、オニキス珠、虎眼石珠を輪状に連結し、着脱金具を取り付けて形成したブレスレットからなるブレスレット形態の喪装用具。
【請求項１４】
喪装用具であって、オニキス珠を用い着脱金具及び引掛金具を備えるタイタックからなるタイタック形態の喪装用具。
【請求項１５】
喪装用具であって、オニキス珠、虎眼石珠を少なくとも百八個輪状に連結し、房を取り付けて形成した百八念珠からなる念珠形態の喪装用具。
【請求項１６】
喪装用具であって、白檀、黒檀を輪状に連結し、房を取り付けて形成した埋葬用念珠からなる念珠形態の喪装用具。
【請求項１７】
喪装用具であって、オニキス珠、虎眼石珠を輪状に連結し、房を取り付けて形成した紳士用念珠と、オニキス珠、虎眼石珠を輪状に連結し、房を取り付けて形成した婦人用念珠とを収納する念珠袋からなる袋形態の喪装用具。
【請求項１８】
喪装用具であって、オニキス珠、虎眼石珠を輪状に連結し、房を取り付けて形成した紳士用念珠を収納する紳士用の念珠袋からなる袋形態の喪装用具。
【請求項１９】
オニキス珠、虎眼石珠を輪状に連結し、房を取り付けて形成した婦人用念珠を収納する婦人用の念珠袋からなる袋形態の喪装用具。
【請求項２０】
喪装用具であって、欅材により形成した香を入れる香合からなる容器形態の喪装用具。
【請求項２１】
喪装用具であって、透明袋入りの七種香からなる香材を袋に収納した形態の喪装用具。
【請求項２２】
喪装用具であって、透明袋入りの白壇香からなる香材を袋に収納した形態の喪装用具。
【請求項２３】
喪装用具であって、故人の追想の詩、葬儀挨拶文等を掲載した葬儀用冊子からなる冊子形態の喪装用具。
【請求項２４】
喪装用具であって、桐材を用いて喪装用具、埋葬用具、葬儀用付属品類を内部に収容可能に形成した保存用桐箱からなる箱形態の喪装用具。
【手続補正２】
【補正対象書類名】明細書
【補正対象項目名】全文
【補正方法】変更
【補正の内容】
【考案の詳細な説明】
【技術分野】
【０００１】
本考案は、喪装用具に関し、詳しくは、葬儀具、埋葬用具、葬儀用付属品等の各形態からなる喪装用具に関するものである。
【背景技術】
【０００２】
従来、故人の通夜、葬儀等における焼香等の儀式に赴く際に、焼香時に使用する念珠類を用意したり、葬儀等に相応しいイヤリング、ネックレス等の喪装用具を箪笥等から探し出して身に着けたり、かなり煩わしい準備が必要となる。
【０００３】
特許文献１には、弔辞用ネクタイ、数珠、喪章、香典袋等をまとめて収納ケースに収納するように構成した弔辞用必需品の組み合わせ収納体が開示されている。
しかし、この組み合わせ収納体の場合、収納ケースに収納する弔辞用必需品の点数が比較的少なく、例えば夫婦一緒に葬儀等に出席するような場合においては弔辞用必需品の点数が必ずしも十分ではない。
【特許文献１】登録実用新案第３００１７８９号公報
【考案の開示】
【考案が解決しようとする課題】
【０００４】
夫婦一緒に葬儀等に出席するような場合においても、直ちに紳士用、婦人用として必要十分な点数の喪装用具を準備でき、更に保存性にも優れた各種葬儀具形態の喪装用具が存在しない点である。
【課題を解決するための手段】
【０００５】
本考案の喪装用具は、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を具備することを最も主要な特徴とする。
【考案の効果】
【０００６】
本考案によれば、以下の効果を奏する。
すなわち、請求項１記載の考案によれば、オニキス珠、虎眼石珠を輪状に連結し、房を取り付けて形成した紳士用念珠及び婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングとを組み合わせて葬儀具形態の喪装用具としたものであるから、夫婦揃って葬儀、通夜等のような正式な儀式に出席する場合に相応しい喪装用具を速やかに準備し、身に付けることができる。
【０００７】
請求項２記載の考案によれば、請求項１記載の喪装用具に、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱とを具備する付属品を付加して、喪装用具としたものである。
【０００８】
従って、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、葬儀具形態の他の喪装用具、付属品の各付属品を保存用桐箱に収容して保存することができる葬儀具形態の喪装用具を提供することができる。
【０００９】
請求項３記載の考案によれば、請求項１、２記載の考案における喪装用具の構成に、オニキス珠、虎眼石珠を連結し、着脱金具を取り付けて形成したブレスレットと、オニキス珠を用い着脱金具及び引掛金具を備えるタイタックと、を付加して葬儀具形態の喪装用具とし、更に請求項２記載の考案における喪装用具を組み合わせて、葬儀具形態の喪装用具としたものである。
従って、請求項２記載の考案の場合と同様、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、葬儀具形態の他の喪装用具、付属品の各付属品を保存用桐箱に収容して保存することができる喪装用具を提供することができる。この場合、紳士は紳士用念珠、カフス、ブレスレット、タイタックを身につけ、婦人は婦人用念珠、ネックレス、イヤリングを身につけて葬儀、通夜等のような正式な儀式に出席することができる。
【００１０】
請求項４記載の考案は、請求項３記載の考案と略同様な構成であるが、念珠袋を紳士用の念珠袋と婦人用の念珠袋との２個構成としたことが特徴である。
請求項４記載の考案によれば、紳士用念珠、婦人用念珠を個別の念珠袋に収納した状態で保存でき、また、請求項３記載の考案と同様の作用、効果を発揮させることができる。
【００１１】
請求項５記載の考案は、請求項４記載の考案の構成に加えて、請求項３、４記載の葬儀具形態の喪装用具構成に、オニキス珠、虎眼石珠を少なくとも百八個連結し、房を取り付けて形成した百八念珠を付加して葬儀具形態の喪装用具とし、更に請求項４記載の付属品を組み合わせて、葬儀具形態の喪装用具としたものである。
請求項５記載の考案によれば、請求項４記載の考案と同様の作用、効果を発揮させることができるとともに、百八念珠をも備えるものであるから、通夜や葬儀の席で百八念珠を使用して祈念することにより一層格調高く故人の冥福を祈ることができる。
【００１２】
請求項６記載の考案は、請求項５記載の考案の構成に加えて、請求項５記載の葬儀具形態の喪装用具構成に、白檀珠、黒檀珠を輪状に連結し、房を取り付けて形成した埋葬用念珠を付加して葬儀具形態とし、更に請求項５記載の付属品を組み合わせて、葬儀具形態の喪装用具としたものである。
請求項６記載の考案によれば、請求項５記載の考案の場合と同様な作用、効果を発揮させることができるとともに、白檀珠、黒檀珠を輪状に連結し、房を取り付けて形成した埋葬用念珠を故人とともに埋葬することで、一層厳かに故人の冥福を祈ることができる。
加えて、請求項６記載の考案によれば、特に、白檀珠、黒檀珠を輪状に連結し房を取り付けて形成した埋葬用念珠と、紳士用念珠、婦人用念珠とのデザイン、形態を同じような形態とすることにより、埋葬用念珠は、葬儀時において被火葬者（故人）の合掌した両手にかけられたままで火葬し、紳士用念珠、婦人用念珠は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００１３】
請求項７記載の考案は、上述した構成の紳士用念珠、婦人用念珠により葬儀具形態の喪装用具を構成し、紳士用の念珠袋、婦人用の念珠袋及び保存用桐箱により付属品を構成して、これらを組み合わせて葬儀具形態の喪装用具としたものである。
従って、夫婦一緒に葬儀等に出席するような場合において、紳士用、婦人用として必要最小限の喪装用具を準備でき、また、保存性にも優れた葬儀具形態の喪装用具を提供することができる。
【００１４】
請求項８記載の考案によれば、オニキス珠、虎眼石珠を輪状に連結し、房を取り付けて紳士用念珠を形成したものであるから、葬儀、通夜等のような正式な儀式に出席する場合に相応しい紳士の喪装を実現できる喪装用具を提供できる。
【００１５】
請求項９記載の考案によれば、オニキス珠、虎眼石珠を輪状に連結し、房を取り付けて婦人用念珠を形成したものであるから、葬儀、通夜等のような正式な儀式に出席する場合に相応しい婦人の喪装を実現できる喪装用具を提供できる。
【００１６】
請求項１０記載の考案によれば、オニキス珠、虎眼石珠を用い着脱金具を取り付けてネックレスを形成したものであるから、葬儀、通夜等のような正式な儀式に出席する場合に相応しい婦人の首部分の喪装を実現できる喪装用具を提供できる。
【００１７】
請求項１１記載の考案によれば、オニキス珠に金具を取り付けて一対構成のカフスを形成したものであるから、葬儀、通夜等のような正式な儀式に出席する場合に相応しい紳士のワイシャツの袖部分の喪装を実現できる喪装用具を提供できる。
【００１８】
請求項１２記載の考案によれば、オニキス珠に金具を取り付けて一対構成のイヤリングを形成したものであるから、葬儀、通夜等のような正式な儀式に出席する場合に相応しい婦人の耳部分の喪装を実現できる喪装用具を提供できる。
【００１９】
請求項１３記載の考案によれば、オニキス珠、虎眼石珠を輪状に連結し、着脱金具を取り付けてブレスレットを形成したものであるから、葬儀、通夜等のような正式な儀式に出席する場合に相応しい婦人又は紳士の喪装を実現できる喪装用具を提供できる。
【００２０】
請求項１４記載の考案によれば、オニキス珠を用い着脱金具及び引掛金具を備えるタイタックによって、葬儀、通夜等のような正式な儀式に出席する場合に相応しい紳士のネクタイ部分の喪装を実現できる喪装用具を提供できる。
【００２１】
請求項１５記載の考案によれば、オニキス珠、虎眼石珠を少なくとも百八個輪状に連結し、房を取り付けて百八念珠を形成したものであるから、この百八念珠により、一層厳かに故人の冥福を祈ることができる。
【００２２】
請求項１６記載の考案によれば、白檀珠、黒檀珠を輪状に連結し、房を取り付けて埋葬用念珠を形成したものであるから、この埋葬用念珠を故人とともに埋葬することで、故人への想いを込めて一層厳かに故人の冥福を祈ることができる喪装用具を提供できる。
【００２３】
請求項１７記載の考案によれば、この念珠袋により紳士用念珠及び婦人用念珠を一緒に収納でき、保存性を高めることができる喪装用具を提供できる。
【００２４】
請求項１８記載の考案によれば、この紳士用の念珠袋により、紳士用念珠を収納でき、保存性を高めることができる喪装用具を提供できる。
【００２５】
請求項１９記載の考案によれば、この婦人用の念珠袋により、婦人用念珠を収納でき、保存性を高めることができる喪装用具を提供できる。
【００２６】
請求項２０記載の考案によれば、欅材により香を入れる香合を形成したものであるから、香材を保存性よく収納できる喪装用具を提供できる。
【００２７】
請求項２１記載の考案によれば、この透明袋入りの七種香により、通夜や葬儀に相応しい香材を準備しておくことができる喪装用具を提供できる。
【００２８】
請求項２２記載の考案によれば、この透明袋入りの白壇香により、通夜や葬儀に相応しい香材を準備しておくことができる喪装用具を提供できる。
【００２９】
請求項２３記載の考案によれば、この故人の追想の詩、葬儀挨拶文等を掲載した葬儀用冊子により、葬儀に相応しい追想の詩、挨拶を予め準備しておくことができる喪装用具を提供できる。
【００３０】
請求項２４記載の考案によれば、この保存用桐箱により、喪装用具、埋葬用具、葬儀用付属品を保存性よく収容し、通夜や葬儀の準備を整えておくことができる喪装用具を提供できる。
【考案を実施するための最良の形態】
【００３１】
夫婦一緒に葬儀等に出席するような場合においても、直ちに紳士用、婦人用として必要十分な点数の喪装用具を準備でき、更に保存性にも優れた葬儀具形態の喪装用具を提供するという目的を、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を備えた喪装用具と、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品と、を具備する構成により達成した。
【実施例】
【００３２】
以下に、本考案の実施例を詳細に説明する。
（実施例１）
図１は、本考案の実施例１に係る喪装用具１の形態からなる喪装用具を示すものである。
【００３３】
本実施例１に係る喪装用具１は、オニキス珠１２、虎眼石珠１３を輪状に連結し、房１４を取り付けて形成した紳士用念珠１１と、オニキス珠２２、虎眼石珠２３を輪状に連結し、房２４を取り付けて形成した婦人用念珠２１と、オニキス珠３２、虎眼石珠３３を用い着脱金具３４を取り付けて形成したネックレス３１と、オニキス珠４２に金具４４を取り付けて形成した一対のカフス４１と、オニキス珠５２に金具５４を取り付けて形成した一対のイヤリング５１とを有している。
【００３４】
紳士用念珠１１は、真円加工、黒艶消し加工を施した所要数（例えば十数個乃至数十個）の貫通孔を有する直径１４ｍｍ程度の寸法のオニキス珠１２と、例えば３個の貫通孔を有する直径１０ｍｍ程度の寸法の虎眼石珠１３とを、紐体１５を用い貫通孔を貫いて輪状に連結し、更に、特定の虎眼石珠１３に正絹からなる房１４を取り付けることで構成している。
【００３５】
婦人用念珠２１は、真円加工、黒艶消し加工を施した所要数（例えば十数個乃至数十個）の貫通孔を有する直径１２ｍｍ程度の寸法のオニキス珠２２と、例えば３個の貫通孔を有する直径７ｍｍ程度の寸法の虎眼石珠２３とを、紐体２５を用い貫通孔を貫いて輪状に連結し、更に、特定の虎眼石珠２３に正絹からなる房２４を取り付けることで構成している。
【００３６】
前記ネックレス３１は、所要数（例えば数十個）の貫通孔を有するオニキス珠３２と、数個の虎眼石珠３３とを用い、紐体を用いて輪状に連結するとともに、銀製又は銀メッキ製でオニキス珠３２付の着脱金具３４を取り付け、全長４５ｃｍ程度の長さに形成している。
前記一対のカフス４１は、各々オニキス珠４２にワイシャツの袖への取り付け用の金具４４を取り付けて形成している。
前記一対のイヤリング５１は、各々オニキス珠５２に耳への取り付け用の金具５４を取り付けて形成している。
【００３７】
本実施例１に係る喪装用具１の形態からなる喪装用具によれば、例えば夫婦揃って葬儀、通夜等のような正式な儀式に出席する場合に、紳士は紳士用念珠１１を持ち、一対のカフス４１をワイシャツの袖へ取り付けて、また、婦人は婦人用念珠２１を持ち、ネックレス３１を首に、一対のイヤリング５１を耳に着用して、各々葬儀、通夜等に相応しい喪装とすることができる。
【００３８】
（実施例２）
図２は、本考案の実施例２に係る葬儀具６０の形態からなる喪装用具を示すものであり、この葬儀具６０は、実施例１に係る喪装用具１と、付属品７０とを組み合わせて構成したものである。
【００３９】
前記付属品７０は、欅材により形成した有底筒状の本体７１及び蓋体７２からなる香合７３と、透明袋入りの白壇香７４と、透明袋入りの七種香７５と、故人の追想の詩、葬儀挨拶文等を掲載した葬儀用冊子７６と、前記紳士用念珠１１及び婦人用念珠２１を収納する念珠袋７７と、前記紳士用念珠１１、婦人用念珠２１、ネックレス３１、一対のカフス４１、一対のイヤリング５１、香合７３、透明袋入りの白壇香７４、透明袋入りの七種香７５、葬儀用冊子７６及び念珠袋７７を収容する桐材を用いて箱型状に形成した本体及び蓋体からなる保存用桐箱７８とを有している。念珠袋７７は開口部にファスナ７７ａ及びファスナ引具７７ｂを備えている。
【００４０】
前記保存用桐箱７８は、不織布等の包装用、保存用の布材を内装するとともに、封止帯７９により喪装用具１、付属品７０を内部に収容した状態で蓋体の本体に体する封止を行うように構成している。
【００４１】
本実施例２に係る葬儀具６０の形態からなる喪装用具によれば、夫婦揃って葬儀、通夜等のような正式な儀式に出席するような場合に、紳士は紳士用念珠１１及び一対のカフス４１により、婦人は婦人用念珠２１、ネックレス３１、一対のイヤリング５１により、各々速やかに喪装することができる。
また、本実施例２に係る葬儀具６０の形態からなる喪装用具によれば、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具１の他の喪装用具、付属品７０の各付属品を保存用桐箱７８に収容して保存することができ、保存性に優れ、通夜や葬儀等への出席のための準備に万全を期することができる。
【００４２】
（実施例３）
図３は、本考案の実施例３に係る葬儀具６０Ａの形態からなる喪装用具を示すものであり、この葬儀具６０Ａは、前記喪装用具１の構成に、所要数（例えば十数個）の貫通孔を有するオニキス珠８２、虎眼石珠８３を連結し、銀製又は銀メッキ製の着脱金具８４を取り付けて形成したブレスレット８１と、オニキス珠９２を用い銀製又は銀メッキ製の着脱金具９４及び引掛金具９５を備えるタイタック９１とを付加して喪装用具１Ａとし、この喪装用具１Ａと前記付属品７０とを組み合わせて構成したものである。
【００４３】
本実施例３に係る葬儀具６０Ａの形態からなる喪装用具によれば、夫婦揃って葬儀、通夜等のような正式な儀式に出席する場合に、紳士は紳士用念珠１１及び一対のカフス４１、ブレスレット８１、タイタック９１により、また、婦人は婦人用念珠２１、ネックレス３１、一対のイヤリング５１により、各々速やかに喪装することができる。
また、本実施例３に係る葬儀具６０Ａの形態からなる喪装用具によれば、実施例２の場合と同様、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具１Ａの他の喪装用具、付属品７０の各付属品を保存用桐箱７８に収容して保存することができ、保存性に優れ、通夜や葬儀等への出席のための準備に万全を期することができる。
【００４４】
（実施例４）
図４は、本考案の実施例４に係る葬儀具６０Ｂの形態からなる喪装用具を示すものであり、この葬儀具６０Ｂは、実施例３の葬儀具６０Ａと略同様な構成であるが、前記付属品７０における念珠袋７７に代えて、紳士用念珠１１を収納する紳士用の念珠袋９７、婦人用念珠２１を収納する婦人用の念珠袋９８を個別に備えた付属品７０Ａと、前記喪装用具１Ａとを組み合わせたものである。前記念珠袋９７、念珠袋９８は、各々開口部にファスナ９７ａ、９８ｂ及びファスナ引具９７ｂ、９８ｂを備えている。
【００４５】
本実施例４の葬儀具６０Ｂの形態からなる喪装用具によっても、実施例３の葬儀具６０Ａの場合と同様な作用、効果を発揮させることができ、また、紳士用念珠１１、婦人用念珠２１を個別に収納し保存できる。
【００４６】
（実施例５）
図５は、本考案の実施例５に係る葬儀具６０Ｃの形態からなる喪装用具を示すものであり、この葬儀具６０Ｃは、前記喪装用具１Ａの構成に、例えば百八個の直径７ｍｍのオニキス珠１０２、数個の直径１４ｍｍの虎眼石珠１０３を紐体を用いて輪状に連結し、正絹の房１０４を２箇所に取り付けて形成した百八念珠１０１を付加して喪装用具１Ｂとし、この喪装用具１Ｂと前記付属品７０Ａとを組み合わせたものである。
【００４７】
本実施例５の葬儀具６０Ｃの形態からなる喪装用具によっても、実施例４の葬儀具６０Ｂの形態からなる喪装用具の場合と同様な作用、効果を発揮させることができ、また、上述した構成の百八念珠１０１をも備えるものであるから、通夜や葬儀の席で百八念珠１０１を使用して祈念することにより、一層格調高く故人の冥福を祈ることができる。
【００４８】
（実施例６）
図６は、本考案の実施例６に係る葬儀具６０Ｄの形態からなる喪装用具を示すものであり、この葬儀具６０Ｄは、実施例５の喪装用具１Ｂの構成に、白檀珠１１２、黒檀珠１１３を紐体を用いて輪状に連結し、正絹の房１１４を取り付けて形成した埋葬用念珠１１１を付加して喪装用具１Ｃとし、この喪装用具１Ｃと前記付属品７０Ａとを組み合わせたものである。
【００４９】
本実施例６の葬儀具６０Ｄの形態からなる喪装用具によれば、実施例５の葬儀具６０Ｃの場合と同様な作用、効果を発揮させることができるとともに、高貴な樹とされる白檀珠１１２、黒檀珠１１３を用いて形成した埋葬用念珠１１１を大切な故人への想いとともに棺に納め埋葬することで、一層厳かに格調高く故人の冥福を祈ることができる。
本実施例の場合、特に、埋葬用念珠１１１と、紳士用念珠１１、婦人用念珠２１とのデザイン、形態を同じような形態とすることにより、埋葬用念珠１１１は、葬儀時において被火葬者（故人）の合掌した両手にかけられたままで火葬し、紳士用念珠１１、婦人用念珠２１は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００５０】
（実施例７）
図７は、本考案の実施例７に係る葬儀具６０Ｅの形態からなる喪装用具を示すものであり、本実施例７の葬儀具６０Ｅは、前述した構成の紳士用念珠１１、婦人用念珠２１により喪装用具１Ｄを構成し、紳士用の念珠袋９７、婦人用の念珠袋９８及び保存用桐箱７８により付属品７０Ｂを構成して、これらを組み合わせて葬儀具６０Ｅとしたものである。
【００５１】
本実施例７の葬儀具６０Ｅの形態からなる喪装用具によれば、夫婦一緒に葬儀等に出席するような場合において、紳士用、婦人用として必要最小限の紳士用念珠１１、婦人用念珠２１を速やかに準備でき、また、念珠袋９７、念珠袋９８及び保存用桐箱７８を備えることから、紳士用念珠１１、婦人用念珠２１の保存性にも優れた葬儀具６０Ｅの形態からなる喪装用具を提供することができる。
【００５２】
以上説明した実施例１乃至実施例７における埋葬用具は、これを組み合わせ状態の物として販売、購入、保存する場合の他、これらを各々個別に販売、購入、保存するようにすることも勿論可能であり、このようにすれば、一層実用価値を高めることができる。
【産業上の利用可能性】
【００５３】
本考案のネックレス、イヤリング、ブレスレット、タイタックは、埋葬用具として用いる他、日常身につける装身具としても利用可能である。
【図面の簡単な説明】
【００５４】
【図１】本考案の実施例１に係る喪装用具の形態からなる喪装用具を示す構成図である。
【図２】本考案の実施例２に係る葬儀具の形態からなる喪装用具を示す構成図である。
【図３】本考案の実施例３に係る葬儀具の形態からなる喪装用具を示す構成図である。
【図４】本考案の実施例４に係る葬儀具の形態からなる喪装用具を示す構成図である。
【図５】本考案の実施例５に係る葬儀具の形態からなる喪装用具を示す構成図である。
【図６】本考案の実施例６に係る葬儀具の形態からなる喪装用具を示す構成図である。
【図７】本考案の実施例７に係る葬儀具の形態からなる喪装用具を示す構成図である。
【符号の説明】
【００５５】
１    喪装用具
１Ａ  喪装用具
１Ｂ  喪装用具
１Ｃ  喪装用具
１Ｄ  喪装用具
１１    紳士用念珠
１２    オニキス珠
１３    虎眼石珠
１４    房
１５    紐体
２１    婦人用念珠
２２    オニキス珠
２３    虎眼石珠
２４    房
２５    紐体
３１    ネックレス
３２    オニキス珠
３３    虎眼石珠
３４    着脱金具
４１    カフス
４２    オニキス珠
４４    金具
５１    イヤリング
５２    オニキス珠
５４    金具
６０    葬儀具
６０Ａ  葬儀具
６０Ｂ  葬儀具
６０Ｃ  葬儀具
６０Ｄ  葬儀具
６０Ｅ  葬儀具
７０    付属品
７０Ａ  付属品
７０Ｂ  付属品
７１    本体
７２    蓋体
７３    香合
７４    白壇香
７５    七種香
７６    葬儀用冊子
７７    念珠袋
７７ａ  ファスナ
７８    保存用桐箱
７９    封止帯
８１    ブレスレット
８２    オニキス珠
８３    虎眼石珠
８４    着脱金具
９１    タイタック
９２    オニキス珠
９４    着脱金具
９５    引掛金具
９７    念珠袋
９８    念珠袋
１０１    百八念珠
１０２    オニキス珠
１０３    虎眼石珠
１０４    房
１１１    埋葬用念珠
１１２    白檀珠
１１３    黒檀珠
１１４    房
【手続補正書】
【提出日】平成17年3月18日(2005.3.18)
【手続補正１】
【補正対象書類名】実用新案登録請求の範囲
【補正対象項目名】全文
【補正方法】変更
【補正の内容】
【実用新案登録請求の範囲】
【請求項１】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
を具備する葬儀具形態の喪装用具。
【請求項２】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱と、を備えた付属品と、
を具備する葬儀具形態の喪装用具。
【請求項３】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠及び婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子及び念珠袋を収容する保存用桐箱と、を備えた付属品と、
を具備する葬儀具形態の喪装用具。
【請求項４】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の各念珠袋を収容する保存用桐箱と、を備えた付属品と、
を具備する葬儀具形態の喪装用具。
【請求項５】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個連結し、房を取り付けて形成した百八念珠と、を備えた喪装用具と、
欅材により形成した香合と、
透明袋入りの白壇香と、
透明袋入りの七種香と、
故人追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠を収容する保存用桐箱と、を備えた付属品と、
を具備する葬儀具形態の喪装用具。
【請求項６】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、
オニキス珠、虎眼石珠を用い着脱金具を取り付けて形成したネックレスと、
オニキス珠に金具を取り付けて形成した一対のカフスと、
オニキス珠に金具を取り付けて形成した一対のイヤリングと、
オニキス珠、虎眼石珠を連結し、着脱金具を取り付けて形成したブレスレットと、
オニキス珠を用い着脱金具及び引掛金具を備えるタイタックと、
オニキス珠、虎眼石珠を少なくとも百八個輪状に連結し、房を取り付けて形成した百八念珠と、
白檀珠、黒檀珠を輪状に連結し、房を取り付けて形成した埋葬用念珠と、を備えた喪装用具と、
欅材により形成した香合と、
透明袋入りの白壇香と、
透明袋入りの七種香と、
故人の追想の詩、葬儀挨拶文等を掲載した葬儀用冊子と、
前記紳士用念珠を収納する念珠袋と、
前記婦人用念珠を収納する念珠袋と、
前記紳士用念珠、婦人用念珠、ネックレス、一対のカフス、一対のイヤリング、ブレスレット、タイタック、香合、透明袋入りの白壇香、透明袋入りの七種香、葬儀用冊子、紳士用の念珠袋及び婦人用の念珠袋、百八念珠、埋葬用念珠を収容する保存用桐箱と、を備えた付属品と、
を具備する葬儀具形態の喪装用具。
【請求項７】
喪装用具であって、
オニキス珠、虎眼石珠を輪状に連結し、房を取り付けて形成した紳士用念珠と、
オニキス珠、虎眼石珠を輪状に連結し、房を取り付けて形成した婦人用念珠と、を備えた喪装用具と、
前記紳士用念珠を収納する紳士用の念珠袋と、
前記婦人用念珠を収納する婦人用の念珠袋と、
前記紳士用念珠、婦人用念珠、紳士用の念珠袋、婦人用の念珠袋を収納する保存用桐箱と、を備えた付属品と、
を具備する葬儀具形態の喪装用具。
【手続補正２】
【補正対象書類名】明細書
【補正対象項目名】全文
【補正方法】変更
【補正の内容】
【考案の詳細な説明】
【技術分野】
【０００１】
本考案は、喪装用具に関し、詳しくは、葬儀具、埋葬用具、葬儀用付属品等の各形態からなる喪装用具に関するものである。
【背景技術】
【０００２】
従来、故人の通夜、葬儀等における焼香等の儀式に赴く際に、焼香時に使用する念珠類を用意したり、葬儀等に相応しいイヤリング、ネックレス等の喪装用具を箪笥等から探し出して身に着けたり、かなり煩わしい準備が必要となる。
【０００３】
特許文献１には、弔辞用ネクタイ、数珠、喪章、香典袋等をまとめて収納ケースに収納するように構成した弔辞用必需品の組み合わせ収納体が開示されている。
しかし、この組み合わせ収納体の場合、収納ケースに収納する弔辞用必需品の点数が比較的少なく、例えば夫婦一緒に葬儀等に出席するような場合においては弔辞用必需品の点数が必ずしも十分ではない。
【特許文献１】登録実用新案第３００１７８９号公報
【考案の開示】
【考案が解決しようとする課題】
【０００４】
夫婦一緒に葬儀等に出席するような場合においても、直ちに紳士用、婦人用として必要十分な点数の喪装用具を準備でき、更に保存性にも優れた各種葬儀具形態の喪装用具が存在しない点である。
【課題を解決するための手段】
【０００５】
本考案の喪装用具は、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を具備することを最も主要な特徴とする。
【考案の効果】
【０００６】
本考案によれば、以下の効果を奏する。
すなわち、請求項１記載の考案によれば、オニキス珠、虎眼石珠を輪状に連結し、房を取り付けて形成した紳士用念珠及び婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングとを組み合わせて葬儀具形態の喪装用具としたものであるから、夫婦揃って葬儀、通夜等のような正式な儀式に出席する場合に相応しい喪装用具を速やかに準備し、身に付けることができる。
【０００７】
請求項２記載の考案によれば、請求項１記載の喪装用具に、欅材により形成した香合と、透明袋入りの白壇香と、透明袋入りの七種香と、故人の追想の詩、葬儀挨拶文等を掲載した葬儀用冊子と、前記紳士用念珠及び婦人用念珠を収納する念珠袋と、前記紳士用念珠、婦人用念珠、ネックレス、一対のカフス、一対のイヤリング、香合、透明袋入りの白壇香、透明袋入りの七種香、葬儀用冊子及び念珠袋を収容する保存用桐箱とを具備する付属品を付加して、喪装用具としたものである。
【０００８】
従って、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、葬儀具形態の他の喪装用具、付属品の各付属品を保存用桐箱に収容して保存することができる葬儀具形態の喪装用具を提供することができる。
【０００９】
請求項３記載の考案によれば、請求項１、２記載の考案における喪装用具の構成に、オニキス珠、虎眼石珠を連結し、着脱金具を取り付けて形成したブレスレットと、オニキス珠を用い着脱金具及び引掛金具を備えるタイタックと、を付加して葬儀具形態の喪装用具とし、更に請求項２記載の考案における喪装用具を組み合わせて、葬儀具形態の喪装用具としたものである。
従って、請求項２記載の考案の場合と同様、夫婦揃って葬儀、通夜等のような正式な儀式に出席する場合に相応しい喪装用具を速やかに準備し、身に付けることができる。
加えて、通夜や葬儀の際に必要な白壇香、七種香、これらを入れるための香合を併せて準備でき、更に紳士用念珠及び婦人用念珠を念珠袋に収納した状態で、葬儀具形態の他の喪装用具、付属品の各付属品を保存用桐箱に収容して保存することができる喪装用具を提供することができる。この場合、紳士は紳士用念珠、カフス、ブレスレット、タイタックを身につけ、婦人は婦人用念珠、ネックレス、イヤリングを身につけて葬儀、通夜等のような正式な儀式に出席することができる。
【００１０】
請求項４記載の考案は、請求項３記載の考案と略同様な構成であるが、念珠袋を紳士用の念珠袋と婦人用の念珠袋との２個構成としたことが特徴である。
請求項４記載の考案によれば、紳士用念珠、婦人用念珠を個別の念珠袋に収納した状態で保存でき、また、請求項３記載の考案と同様の作用、効果を発揮させることができる。
【００１１】
請求項５記載の考案は、請求項４記載の考案の構成に加えて、請求項３、４記載の葬儀具形態の喪装用具構成に、オニキス珠、虎眼石珠を少なくとも百八個連結し、房を取り付けて形成した百八念珠を付加して葬儀具形態の喪装用具とし、更に請求項４記載の付属品を組み合わせて、葬儀具形態の喪装用具としたものである。
請求項５記載の考案によれば、請求項４記載の考案と同様の作用、効果を発揮させることができるとともに、百八念珠をも備えるものであるから、通夜や葬儀の席で百八念珠を使用して祈念することにより一層格調高く故人の冥福を祈ることができる。
【００１２】
請求項６記載の考案は、請求項５記載の考案の構成に加えて、請求項５記載の葬儀具形態の喪装用具構成に、白檀珠、黒檀珠を輪状に連結し、房を取り付けて形成した埋葬用念珠を付加して葬儀具形態とし、更に請求項５記載の付属品を組み合わせて、葬儀具形態の喪装用具としたものである。
請求項６記載の考案によれば、請求項５記載の考案の場合と同様な作用、効果を発揮させることができるとともに、白檀珠、黒檀珠を輪状に連結し、房を取り付けて形成した埋葬用念珠を故人とともに埋葬することで、一層厳かに故人の冥福を祈ることができる。
加えて、請求項６記載の考案によれば、特に、白檀珠、黒檀珠を輪状に連結し房を取り付けて形成した埋葬用念珠と、紳士用念珠、婦人用念珠とのデザイン、形態を同じような形態とすることにより、埋葬用念珠は、葬儀時において被火葬者（故人）の合掌した両手にかけられたままで火葬し、紳士用念珠、婦人用念珠は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００１３】
請求項７記載の考案は、上述した構成の紳士用念珠、婦人用念珠により葬儀具形態の喪装用具を構成し、紳士用の念珠袋、婦人用の念珠袋及び保存用桐箱により付属品を構成して、これらを組み合わせて葬儀具形態の喪装用具としたものである。
従って、夫婦一緒に葬儀等に出席するような場合において、紳士用、婦人用として必要最小限の喪装用具を準備でき、また、保存性にも優れた葬儀具形態の喪装用具を提供することができる。
【考案を実施するための最良の形態】
【００１４】
夫婦一緒に葬儀等に出席するような場合においても、直ちに紳士用、婦人用として必要十分な点数の喪装用具を準備でき、更に保存性にも優れた葬儀具形態の喪装用具を提供するという目的を、オニキス珠、虎眼石珠を輪状に連結し、房を取り付けて形成した紳士用念珠と、オニキス珠、虎眼石珠を輪状に連結し、房を取り付けて形成した婦人用念珠と、オニキス珠、虎眼石珠を用い着脱金具を取り付けて形成したネックレスと、オニキス珠に金具を取り付けて形成した一対のカフスと、オニキス珠に金具を取り付けて形成した一対のイヤリングと、を備えた喪装用具とする構成により達成した。
【実施例】
【００１５】
以下に、本考案の実施例を詳細に説明する。
（実施例１）
図１は、本考案の実施例１に係る喪装用具１の形態からなる喪装用具を示すものである。
【００１６】
本実施例１に係る喪装用具１は、オニキス珠１２、虎眼石珠１３を輪状に連結し、房１４を取り付けて形成した紳士用念珠１１と、オニキス珠２２、虎眼石珠２３を輪状に連結し、房２４を取り付けて形成した婦人用念珠２１と、オニキス珠３２、虎眼石珠３３を用い着脱金具３４を取り付けて形成したネックレス３１と、オニキス珠４２に金具４４を取り付けて形成した一対のカフス４１と、オニキス珠５２に金具５４を取り付けて形成した一対のイヤリング５１とを有している。
【００１７】
紳士用念珠１１は、真円加工、黒艶消し加工を施した所要数（例えば十数個乃至数十個）の貫通孔を有する直径１４ｍｍ程度の寸法のオニキス珠１２と、例えば３個の貫通孔を有する直径１０ｍｍ程度の寸法の虎眼石珠１３とを、紐体１５を用い貫通孔を貫いて輪状に連結し、更に、特定の虎眼石珠１３に正絹からなる房１４を取り付けることで構成している。
【００１８】
婦人用念珠２１は、真円加工、黒艶消し加工を施した所要数（例えば十数個乃至数十個）の貫通孔を有する直径１２ｍｍ程度の寸法のオニキス珠２２と、例えば３個の貫通孔を有する直径７ｍｍ程度の寸法の虎眼石珠２３とを、紐体２５を用い貫通孔を貫いて輪状に連結し、更に、特定の虎眼石珠２３に正絹からなる房２４を取り付けることで構成している。
【００１９】
前記ネックレス３１は、所要数（例えば数十個）の貫通孔を有するオニキス珠３２と、数個の虎眼石珠３３とを用い、紐体を用いて輪状に連結するとともに、銀製又は銀メッキ製でオニキス珠３２付の着脱金具３４を取り付け、全長４５ｃｍ程度の長さに形成している。
前記一対のカフス４１は、各々オニキス珠４２にワイシャツの袖への取り付け用の金具４４を取り付けて形成している。
前記一対のイヤリング５１は、各々オニキス珠５２に耳への取り付け用の金具５４を取り付けて形成している。
【００２０】
本実施例１に係る喪装用具１の形態からなる喪装用具によれば、例えば夫婦揃って葬儀、通夜等のような正式な儀式に出席する場合に、紳士は紳士用念珠１１を持ち、一対のカフス４１をワイシャツの袖へ取り付けて、また、婦人は婦人用念珠２１を持ち、ネックレス３１を首に、一対のイヤリング５１を耳に着用して、各々葬儀、通夜等に相応しい喪装とすることができる。
【００２１】
（実施例２）
図２は、本考案の実施例２に係る葬儀具６０の形態からなる喪装用具を示すものであり、この葬儀具６０は、実施例１に係る喪装用具１と、付属品７０とを組み合わせて構成したものである。
【００２２】
前記付属品７０は、欅材により形成した有底筒状の本体７１及び蓋体７２からなる香合７３と、透明袋入りの白壇香７４と、透明袋入りの七種香７５と、故人の追想の詩、葬儀挨拶文等を掲載した葬儀用冊子７６と、前記紳士用念珠１１及び婦人用念珠２１を収納する念珠袋７７と、前記紳士用念珠１１、婦人用念珠２１、ネックレス３１、一対のカフス４１、一対のイヤリング５１、香合７３、透明袋入りの白壇香７４、透明袋入りの七種香７５、葬儀用冊子７６及び念珠袋７７を収容する桐材を用いて箱型状に形成した本体及び蓋体からなる保存用桐箱７８とを有している。念珠袋７７は開口部にファスナ７７ａ及びファスナ引具７７ｂを備えている。
【００２３】
前記保存用桐箱７８は、不織布等の包装用、保存用の布材を内装するとともに、封止帯７９により喪装用具１、付属品７０を内部に収容した状態で蓋体の本体に体する封止を行うように構成している。
【００２４】
本実施例２に係る葬儀具６０の形態からなる喪装用具によれば、夫婦揃って葬儀、通夜等のような正式な儀式に出席するような場合に、紳士は紳士用念珠１１及び一対のカフス４１により、婦人は婦人用念珠２１、ネックレス３１、一対のイヤリング５１により、各々速やかに喪装することができる。
また、本実施例２に係る葬儀具６０の形態からなる喪装用具によれば、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具１の他の喪装用具、付属品７０の各付属品を保存用桐箱７８に収容して保存することができ、保存性に優れ、通夜や葬儀等への出席のための準備に万全を期することができる。
【００２５】
（実施例３）
図３は、本考案の実施例３に係る葬儀具６０Ａの形態からなる喪装用具を示すものであり、この葬儀具６０Ａは、前記喪装用具１の構成に、所要数（例えば十数個）の貫通孔を有するオニキス珠８２、虎眼石珠８３を連結し、銀製又は銀メッキ製の着脱金具８４を取り付けて形成したブレスレット８１と、オニキス珠９２を用い銀製又は銀メッキ製の着脱金具９４及び引掛金具９５を備えるタイタック９１とを付加して喪装用具１Ａとし、この喪装用具１Ａと前記付属品７０とを組み合わせて構成したものである。
【００２６】
本実施例３に係る葬儀具６０Ａの形態からなる喪装用具によれば、夫婦揃って葬儀、通夜等のような正式な儀式に出席する場合に、紳士は紳士用念珠１１及び一対のカフス４１、ブレスレット８１、タイタック９１により、また、婦人は婦人用念珠２１、ネックレス３１、一対のイヤリング５１により、各々速やかに喪装することができる。
また、本実施例３に係る葬儀具６０Ａの形態からなる喪装用具によれば、実施例２の場合と同様、通夜や葬儀の際に必要な白壇香７４、七種香７５、これらを入れるための香合７３を併せて準備でき、更に紳士用念珠１１及び婦人用念珠２１を念珠袋７７に収納した状態で、喪装用具１Ａの他の喪装用具、付属品７０の各付属品を保存用桐箱７８に収容して保存することができ、保存性に優れ、通夜や葬儀等への出席のための準備に万全を期することができる。
【００２７】
（実施例４）
図４は、本考案の実施例４に係る葬儀具６０Ｂの形態からなる喪装用具を示すものであり、この葬儀具６０Ｂは、実施例３の葬儀具６０Ａと略同様な構成であるが、前記付属品７０における念珠袋７７に代えて、紳士用念珠１１を収納する紳士用の念珠袋９７、婦人用念珠２１を収納する婦人用の念珠袋９８を個別に備えた付属品７０Ａと、前記喪装用具１Ａとを組み合わせたものである。前記念珠袋９７、念珠袋９８は、各々開口部にファスナ９７ａ、９８ｂ及びファスナ引具９７ｂ、９８ｂを備えている。
【００２８】
本実施例４の葬儀具６０Ｂの形態からなる喪装用具によっても、実施例３の葬儀具６０Ａの場合と同様な作用、効果を発揮させることができ、また、紳士用念珠１１、婦人用念珠２１を個別に収納し保存できる。
【００２９】
（実施例５）
図５は、本考案の実施例５に係る葬儀具６０Ｃの形態からなる喪装用具を示すものであり、この葬儀具６０Ｃは、前記喪装用具１Ａの構成に、例えば百八個の直径７ｍｍのオニキス珠１０２、数個の直径１４ｍｍの虎眼石珠１０３を紐体を用いて輪状に連結し、正絹の房１０４を２箇所に取り付けて形成した百八念珠１０１を付加して喪装用具１Ｂとし、この喪装用具１Ｂと前記付属品７０Ａとを組み合わせたものである。
【００３０】
本実施例５の葬儀具６０Ｃの形態からなる喪装用具によっても、実施例４の葬儀具６０Ｂの形態からなる喪装用具の場合と同様な作用、効果を発揮させることができ、また、上述した構成の百八念珠１０１をも備えるものであるから、通夜や葬儀の席で百八念珠１０１を使用して祈念することにより、一層格調高く故人の冥福を祈ることができる。
【００３１】
（実施例６）
図６は、本考案の実施例６に係る葬儀具６０Ｄの形態からなる喪装用具を示すものであり、この葬儀具６０Ｄは、実施例５の喪装用具１Ｂの構成に、白檀珠１１２、黒檀珠１１３を紐体を用いて輪状に連結し、正絹の房１１４を取り付けて形成した埋葬用念珠１１１を付加して喪装用具１Ｃとし、この喪装用具１Ｃと前記付属品７０Ａとを組み合わせたものである。
【００３２】
本実施例６の葬儀具６０Ｄの形態からなる喪装用具によれば、実施例５の葬儀具６０Ｃの場合と同様な作用、効果を発揮させることができるとともに、高貴な樹とされる白檀珠１１２、黒檀珠１１３を用いて形成した埋葬用念珠１１１を大切な故人への想いとともに棺に納め埋葬することで、一層厳かに格調高く故人の冥福を祈ることができる。
本実施例の場合、特に、埋葬用念珠１１１と、紳士用念珠１１、婦人用念珠２１とのデザイン、形態を同じような形態とすることにより、埋葬用念珠１１１は、葬儀時において被火葬者（故人）の合掌した両手にかけられたままで火葬し、紳士用念珠１１、婦人用念珠２１は、例えば喪主或いは故人の子供等が故人の遺志を代々継ぐというような意味合いを込めて携帯しながら葬儀を行なうことにより、故人に対する遺族の現世の祈りをいつまでも心に残すことができ、また故人への一層手厚い葬儀となる。
【００３３】
（実施例７）
図７は、本考案の実施例７に係る葬儀具６０Ｅの形態からなる喪装用具を示すものであり、本実施例７の葬儀具６０Ｅは、前述した構成の紳士用念珠１１、婦人用念珠２１により喪装用具１Ｄを構成し、紳士用の念珠袋９７、婦人用の念珠袋９８及び保存用桐箱７８により付属品７０Ｂを構成して、これらを組み合わせて葬儀具６０Ｅとしたものである。
【００３４】
本実施例７の葬儀具６０Ｅの形態からなる喪装用具によれば、夫婦一緒に葬儀等に出席するような場合において、紳士用、婦人用として必要最小限の紳士用念珠１１、婦人用念珠２１を速やかに準備でき、また、念珠袋９７、念珠袋９８及び保存用桐箱７８を備えることから、紳士用念珠１１、婦人用念珠２１の保存性にも優れた葬儀具６０Ｅの形態からなる喪装用具を提供することができる。
【００３５】
以上説明した実施例１乃至実施例７における埋葬用具は、これを組み合わせ状態の物として販売、購入、保存する場合の他、これらを各々個別に販売、購入、保存するようにすることも勿論可能であり、このようにすれば、一層実用価値を高めることができる。
【産業上の利用可能性】
【００３６】
本考案のネックレス、イヤリング、ブレスレット、タイタックは、埋葬用具として用いる他、日常身につける装身具としても利用可能である。
【図面の簡単な説明】
【００３７】
【図１】本考案の実施例１に係る喪装用具の形態からなる喪装用具を示す構成図である。
【図２】本考案の実施例２に係る葬儀具の形態からなる喪装用具を示す構成図である。
【図３】本考案の実施例３に係る葬儀具の形態からなる喪装用具を示す構成図である。
【図４】本考案の実施例４に係る葬儀具の形態からなる喪装用具を示す構成図である。
【図５】本考案の実施例５に係る葬儀具の形態からなる喪装用具を示す構成図である。
【図６】本考案の実施例６に係る葬儀具の形態からなる喪装用具を示す構成図である。
【図７】本考案の実施例７に係る葬儀具の形態からなる喪装用具を示す構成図である。
【符号の説明】
【００３８】
１        喪装用具
１Ａ      喪装用具
１Ｂ      喪装用具
１Ｃ      喪装用具
１Ｄ      喪装用具
１１        紳士用念珠
１２        オニキス珠
１３        虎眼石珠
１４        房
１５        紐体
２１        婦人用念珠
２２        オニキス珠
２３        虎眼石珠
２４        房
２５        紐体
３１        ネックレス
３２        オニキス珠
３３        虎眼石珠
３４        着脱金具
４１        カフス
４２        オニキス珠
４４        金具
５１        イヤリング
５２        オニキス珠
５４        金具
６０        葬儀具
６０Ａ      葬儀具
６０Ｂ      葬儀具
６０Ｃ      葬儀具
６０Ｄ      葬儀具
６０Ｅ      葬儀具
７０        付属品
７０Ａ      付属品
７０Ｂ      付属品
７１        本体
７２        蓋体
７３        香合
７４        白壇香
７５        七種香
７６        葬儀用冊子
７７        念珠袋
７７ａ      ファスナ
７８        保存用桐箱
７９        封止帯
８１        ブレスレット
８２        オニキス珠
８３        虎眼石珠
８４        着脱金具
９１        タイタック
９２        オニキス珠
９４        着脱金具
９５        引掛金具
９７        念珠袋
９８        念珠袋
１０１        百八念珠
１０２        オニキス珠
１０３        虎眼石珠
１０４        房
１１１        埋葬用念珠
１１２        白檀珠
１１３        黒檀珠
１１４        房